(57)【特許請求の範囲】
【請求項１】
複数の操作子と、
これら操作子の夫々に対応して任意の画像データをそれぞれ記憶する複数の画像記憶手段と、
各画像記憶手段に記憶される各画像データの再生態様を制御するための再生パラメータを各画像データそれぞれに対応して記憶するパラメータ記憶手段と、
上記操作子に対する操作を検出する操作検出手段と、
上記操作が検出されたことに応じて、当該操作が検出された操作子に対応する画像記憶手段から画像データを読み出すと共に、当該画像データに対応する再生パラメータをパラメータ記憶手段から読み出す読出し手段と、
読み出された再生パラメータに基づいて、読み出された画像データの再生態様を制御し、当該再生パラメータが反映された画像データを生成する映像再生手段と
を具備することを特徴とする映像出力装置。
【請求項２】
複数種類のイベントの夫々に対応して任意の画像データをそれぞれ記憶する複数の画像記憶手段と、
各画像記憶手段に記憶される各画像データの再生態様を制御するための再生パラメータを各画像データそれぞれに対応して記憶するパラメータ記憶手段と、
イベントの入力に応じて、当該イベントの種類に対応する画像記憶手段から画像データを読み出すと共に、当該画像データに対応する再生パラメータをパラメータ記憶手段から読み出す読出し手段と、
読み出された再生パラメータに基づいて、読み出された画像データの再生態様を制御し、当該再生パラメータが反映された画像データを生成する映像再生手段と
を具備することを特徴とする映像出力装置。
【請求項３】
前記再生パラメータは、対応する画像データの再生手順を制御する再生出力パラメータを含むことを特徴とする請求項１又は２に記載の映像出力装置。
【請求項４】
前記再生パラメータは、対応する画像データの映像効果を制御する再生加工パラメータを含むことを特徴とする請求項１〜３の何れか１項に記載の映像出力装置。
【請求項５】
さらに、
前記再生パラメータを設定するためのパラメータ操作子手段
を具備することを特徴とする請求項１〜４の何れか１項に記載の映像出力装置。
【請求項６】
さらに、
前記画像記憶手段に記憶された画像データ及び前記パラメータ記憶手段に記憶された再生パラメータを保存するデータ保存手段と、
データ保存手段に保存された画像データ及び再生パラメータを読み出して、それぞれ、前記画像記憶手段及びパラメータ記憶手段に記憶させるデータ転送手段と
を具備することを特徴とする請求項１〜５の何れか１項に記載の映像出力装置。
【請求項７】
さらに、
ビデオ信号を入力するビデオ入力手段と、
上記ビデオ入力手段により入力されるビデオ信号の記録開始及び記録終了を指示する記録指示手段と、
前記複数の画像記憶手段のうち何れかを選択する選択手段と、
上記記録指示手段により記録開始が指示されてから記録終了が指示されるまでのビデオ信号に基づく画像データを、上記選択手段により選択された画像記憶手段に記憶させる録画手段と
を具備することを特徴とする請求項１〜６の何れか１項に記載の映像出力装置。
【請求項８】
さらに、
ビデオ信号を入力するビデオ入力手段と、
上記ビデオ入力手段により入力されたビデオ信号と前記映像再生手段により生成された映像信号とを合成した合成映像信号を生成する合成映像生成手段と、
上記合成映像生成手段により生成された合成映像信号を出力する出力手段と
を具備することを特徴とする請求項１〜６の何れか１項に記載の映像出力装置。
【発明の詳細な説明】
【０００１】
【発明の属する技術分野】
この発明は、画像の再生態様をイベントに応じて任意に制御して多彩な映像を演出することができる映像出力システムに関する。
【０００２】
【従来の技術】
複数の映像データを記憶し編集する映像編集装置は、従来より、数多く存在する。しかしながら、この種の映像編集装置は、編集した後で映像出力させるようにしたものであって、その場の状況に応じて映像を選択的に出力するようなものではなく、リアルタイム性がない。
【０００３】
この種の映像編集装置は、また、画像データの画像配置などの再生条件をかえても、その場だけその条件で再生されるものである。さらに、画像データにエフェクトを一度加えてしまって記憶させると、元の状態には戻らなくなってしまう。一方、エフェクトを付加した画像データを記憶させなかった場合は、元の画像データを読み直せば元の状態が得られるが、装置をパワーオフしたときに、エフェクトをかけた状態を喪失しまうことになる。
【０００４】
【発明が解決しようとする課題】
この発明は、このような従来技術の不都合に鑑み、オリジナル画像データに種々の再生条件を与えることにより、オリジナルを保ったまま画像データの再生態様を種々に制御して多彩な映像表現を演出することができる映像出力システムを提供することを目的とする。
【０００５】
【課題を解決するための手段】
この発明の１つの特徴に従うと、複数の操作子（Ｐｄｊ：Ｐｄ１〜Ｐｄ８；１２）と、これら操作子（Ｐｄｊ）の夫々に対応して任意の画像データ（ＩＭ：ＩＭａ１〜ＩＭａ８，ＩＭｂ１〜ＩＭｂ８又はＩＭｃ１〜ＩＭｃ８）をそれぞれ記憶する複数の画像記憶手段（ＰＡＤ：ＰＡＤ１〜ＰＡＤ８；７２）と、各画像記憶手段（ＰＡＤ）に記憶される各画像データ（ＩＭ）の再生態様を制御するための再生パラメータ（図５，図６）を各画像データ（ＩＭ）それぞれに対応して記憶するパラメータ記憶手段（７２）と、操作子（Ｐｄｊ）に対する操作を検出する操作検出手段（Ｐ１，Ｓ１；５）と、操作が検出されたことに応じて、当該操作が検出された操作子に対応する画像記憶手段（ＰＡＤ；７２）から画像データ（ＩＭ）を読み出すと共に、当該画像データ（ＩＭ）に対応する再生パラメータをパラメータ記憶手段（７２）から読み出す読出し手段（Ｓ３，Ｓ４；７３）と、読み出された再生パラメータに基づいて、読み出された画像データ（ＩＭ）の再生態様を制御し、当該再生パラメータが反映された画像データを生成する映像再生手段（Ｓ４〜Ｓ６，Ｓ８，Ｓ１０，Ｓ１８，Ｓ２１；７３，７４）とを具備する映像出力装置〔請求項１〕が提供される。なお、括弧書きは、理解の便のために、後で詳述する実施例の対応する参照記号、用語、箇所等を付記したものであり、以下においても同様である。
【０００６】
この発明の別の特徴に従うと、複数種類のイベント（Ｉｖ：Ａ−１〜Ｃ−８）の夫々に対応して任意の画像データ（ＩＭ：ＩＭａ１〜ＩＭｃ８）をそれぞれ記憶する複数の画像記憶手段（ＰＡＤ：ＢＡＮＫ−Ａ〜ＣのＰＡＤ１〜ＰＡＤ８；７２）と、各画像記憶手段（ＰＡＤ）に記憶される各画像データ（ＩＭ）の再生態様を制御するための再生パラメータ（図５，図６）を各画像データ（ＩＭ）それぞれに対応して記憶するパラメータ記憶手段（７２）と、イベント（Ｉｖ）の入力に応じて、当該イベント（Ｉｖ）の種類に対応する画像記憶手段（ＰＡＤ；７２）から画像データ（ＩＭ）を読み出すと共に、当該画像データに対応する再生パラメータをパラメータ記憶手段（７２）から読み出す読出し手段（Ｐ１，Ｐ２，Ｓ１，Ｓ３，Ｓ４；７３）と、読み出された再生パラメータに基づいて、読み出された画像データ（ＩＭ）の再生態様を制御し、当該再生パラメータが反映された画像データを生成する映像再生手段（Ｓ４〜Ｓ６，Ｓ８，Ｓ１０，Ｓ１８，Ｓ２１；７３）とを具備する映像出力装置〔請求項２〕が提供される。
【０００７】
この発明による映像出力装置における再生パラメータ（図５，図６）は、対応する画像データ（ＩＭ）の再生手順を制御する再生出力パラメータを含む〔請求項３〕ように構成したり、対応する画像データ（ＩＭ）の映像効果を制御する再生加工パラメータを含む〔請求項４〕ように構成することができる。この発明による映像出力装置は、さらに、再生パラメータを設定するためのパラメータ操作子手段（Ｒ１〜Ｒ３；ＥＰ，Ｄ１，Ｄ２）を具備する〔請求項５〕ように構成したり、さらに、画像記憶手段（ＰＡＤ；７２）に記憶された画像データ（ＩＭ）及びパラメータ記憶手段（７２）に記憶された再生パラメータを保存するデータ保存手段（Ｐ１５；４）と、データ保存手段（４）に保存された画像データ（ＩＭ）及び再生パラメータを読み出して、それぞれ、画像記憶手段（ＰＡＤ；７２）及びパラメータ記憶手段（７２）に記憶させるデータ転送手段（Ｐ１５；７６）とを具備する〔請求項６〕ように構成することができる。
【０００８】
この発明による映像出力装置は、さらに、ビデオ信号を入力するビデオ入力手段（１４）と、ビデオ入力手段（１４）により入力されるビデオ信号の記録開始及び記録終了を指示する記録指示手段（Ｐ１９，Ｐ２２）と、複数の画像記憶手段（ＰＡＤ；７２）のうち何れかを選択する選択手段（Ｐ１７）と、記録指示手段（Ｐ１９，Ｐ２２）により記録開始が指示されてから記録終了が指示されるまでのビデオ信号に基づく画像データを、選択手段（Ｐ１７）により選択された画像記憶手段（ＰＡＤ）に記憶させる録画手段（Ｐ２０，Ｐ２１；７１）とを具備する〔請求項７〕ように構成することができる。また、この発明による映像出力装置は、さらに、ビデオ信号を入力するビデオ入力手段（Ｐ８；１４）と、ビデオ入力手段（Ｐ８；１４）により入力されたビデオ信号と映像再生手段（Ｓ６；７３）により生成された映像信号とを合成した合成映像信号を生成する合成映像生成手段（Ｐ８，Ｓ６；７４）と、合成映像生成手段により生成された合成映像信号を出力する出力手段（７４）とを具備する〔請求項８〕ように構成することができる。
【０００９】
〔発明の作用〕
この発明による映像出力装置においては（請求項１，２）、画像データ取得手段（７１）などから取り込まれ、所謂「動画」や複数枚の静止画像などから成り動画映像として再生される任意の画像データ（ＩＭ）と、この画像データ（ＩＭ）を再生する際にその再生態様を制御するのに用いられる再生パラメータ（図５，図６）とが対応して記憶装置（専用ＲＡＭ７２）に記憶される（図４）。記憶装置（７２）には複数の画像記憶手段（ＰＡＤ）が構成され、複数の操作子（Ｐｄｊ）又は複数種類のイベント（Ｉｖ）に対応して任意の画像データが複数の画像記憶手段（ＰＡＤ）の夫々に記憶される。また、各画像データに対応する再生パラメータも記憶装置（７２）のパラメータ記憶手段に記憶される。そして、操作子の操作又はイベントの入力があると（Ｐ１／Ｐ２，Ｓ１）、当該操作子（Ｐｄｊ）又はイベント種類（Ｉｖ）に対応する画像記憶手段（ＰＡＤ）から画像データ（ＩＭ）を読み出すと共に、取り出される画像データ（ＩＭ）に対応する再生パラメータを読み出し、当該画像データ（ＩＭ）を当該再生パラメータで制御しながら再生する（Ｓ３〜Ｓ６等）。従って、この発明によれば、操作子の操作又はイベントの入力に応じて、複数の画像記憶手段のうち当該操作子又は入力イベントにより指定された画像記憶手段から画像データを順次取り出し、取り出された各画像データに対し、対応する夫々の再生パラメータに基づく種々の再生態様で映像処理を施して、多彩な映像表現を演出することができ、しかも、各画像記憶手段の画像データ自体はオリジナルな状態を保ち、各再生パラメータもパラメータ記憶手段に保持することができる。
【００１０】
より詳しくいえば、この発明の１つの特徴（請求項１）によると、「パッドスイッチ」と呼ばれる複数の操作子（Ｐｄｊ：Ｐｄ１〜Ｐｄ８）が設けられ、これら操作子（Ｐｄｊ）の夫々に対応して、「パッド」と呼ばれる複数の記憶領域（ＰＡＤ：ＰＡＤ１〜ＰＡＤ８）が記憶装置（７２）に設定され、これらの記憶領域（ＰＡＤ）が、任意の画像データ（ＩＭ：ＩＭａ１〜ＩＭａ８，ＩＭｂ１〜ＩＭｂ８又はＩＭｃ１〜ＩＭｃ８）をそれぞれ記憶する複数の画像記憶手段として機能する。各画像記憶手段（ＰＡＤ）に記憶された画像データ（ＩＭ）を再生するに当って（プレイモードＰＭ）、操作子（Ｐｄｊ）に対するユーザ操作を検出すると（Ｐ１，Ｓ１）、当該操作子（Ｐｄｊ）に対応する画像記憶手段（ＰＡＤ）から画像データ（ＩＭ）を読み出すと共に、当該画像データ（ＩＭ）に対応する再生パラメータ（図５，図６）をパラメータ記憶手段（７２）から読み出し（Ｓ３，Ｓ４；７３）、読み出された再生パラメータに基づいて当該画像データ（ＩＭ）の再生態様を制御し、当該再生パラメータが反映された画像データを生成する（Ｓ４〜Ｓ６，Ｓ８，Ｓ１０，Ｓ１８，Ｓ２１；７３，７４）。従って、この発明によると、任意の操作子が操作される毎に、順次、複数の画像記憶手段のうち当該パッド操作子に対応する画像記憶手段から画像データを取り出し、取り出された各画像データに対して、対応する夫々の再生パラメータに基づく種々の再生態様で映像処理を施すことができ、多彩な映像表現を演出することができる。
【００１１】
また、この発明の別の特徴（請求項２）によると、記憶装置（７２）に設定され「パッド」と呼ばれる複数の記憶領域（ＰＡＤ：ＢＡＮＫ−Ａ〜ＣのＰＡＤ１〜ＰＡＤ８）は、複数種類のイベント（Ｉｖ：Ａ−１〜Ｃ−８）の夫々に対応しており、任意の画像データ（ＩＭ：ＩＭａ１〜ＩＭｃ８）をそれぞれ記憶する複数の画像記憶手段として機能する。ここで、「イベント」とは、例えば、複数種類のイベント入力操作子（Ｂｉ，ＢＤｊ）の操作信号又は外部入力信号（ＭＩＤＩ信号）の複数種類のノートオン／オフから、種々、検出されるものである。各画像記憶手段（ＰＡＤ）に記憶された画像データ（ＩＭ）を再生するに当って（プレイ及び外部制御モードＰＭ，ＭＭ）、イベント入力操作子の操作や外部入力信号のノートオン検出などによりイベントが入力されると（Ｐ１，Ｐ２，Ｓ１）、当該イベントの種類に対応する画像記憶手段（ＰＡＤ；７２）から画像データ（ＩＭ）を読み出すと共に、当該画像データ（ＩＭ）に対応する再生パラメータ（図５，図６）をパラメータ記憶手段（７２）から読み出す（Ｓ３，Ｓ４）。そして、読み出された再生パラメータに基づいて当該画像データ（ＩＭ）の再生態様を制御し、この再生制御によって、当該再生パラメータが反映された画像データを生成する（Ｓ４〜Ｓ６，Ｓ８，Ｓ１０，Ｓ１８，Ｓ２１；７３，７４）。従って、この発明によると、イベントが入力される毎に、順次、当該入力イベントにより指定された画像記憶手段から画像データを取り出し、取り出された各画像データに対して、対応する夫々の再生パラメータに基づく種々の再生態様で映像処理を施すことができ、多彩な映像表現を演出することができる。
【００１２】
なお、画像データに対応する再生パラメータは、画像データに対応付け（リンク）してもよいし、パッドに対応付け（リンク）してもよいが、通常は画像データにリンクさせる。例えば、再生パラメータを画像データにリンクさせておくと、画像データを別のパッドに移し換えた場合、自動的に、当該画像データの再生パラメータも移し変えられるので、当該画像データは、パッドが変えられても同様な再生態様で再生することができるので、ユーザによって新たな態様の設定をしなくてもよい。一方、再生パラメータをパッドにリンクさせると、パッドに対して画像データが変更されても、変更された新たな画像データは、当該パッドに設定されている再生パラメータに基づいて再生されることになる。
【００１３】
この発明による映像出力装置で用いられる再生パラメータには、再生出力パラメータ及び再生加工パラメータが含まれる（請求項３，４）。再生出力パラメータ（請求項３）は、入力イベントに対応する画像データの再生手順（読出し態様など）を制御するものであり、例えば、「ゲート」又は「トリガ」パラメータを選択的に設定することができる。この場合、「ゲート」パラメータを適用すると、イベントの発生（オンイベント）に応じて画像データのスタート（開始）位置から再生を開始し、イベントの消滅（オフイベント）に応じて再生を停止し、要するに、オン期間だけ画像再生を行うことができる。一方、「トリガ」パラメータを用いると、イベントの再発生（オンイベント）により再生が停止され、オンイベントの順次到来に応じて映像再生を開始及び停止に切り換えることができる。また、再生出力パラメータにより、画像データの読出し度〔ワンショット（１回再生）／ループ（ループ）再生〕、読出し方向〔ノーマル（順方向）／リバース（逆方向）〕、再生停止時の表示態様〔タイプＡ／Ｂ（静止画表示／非表示）〕、停止後の再生開始位置〔タイプ１（現在位置）／２（スタート位置）〕などを制御することができる。例えば、「ワンショット」パラメータでは画像データのエンド（停止）位置で再生を停止して画像データを１回だけ再生するのに対して、「ループ」パラメータでは、画像データの再生を開始すると、オフを指示するイベントが発生するまで、スタート位置からエンド位置までを繰り返し再生する。なお、各パラメータにおけるスタート位置及びエンド位置については、１つの画像データの始まり（冒頭位置）から終り（最終位置）までの間において、スタート及びエンド位置の少なくとも何れかの位置をユーザが任意に設定できるようにしておくことが好ましい。
【００１４】
また、再生加工パラメータ（請求項４）は、画像データ再生時に映像エフェクトや画面上での表示の仕方を制御するものであり、これにより、入力イベントで指定された画像データに基づいて再生される映像の輝度や色合いなどの映像効果を制御したり、再生映像の画面に対する大きさや、画面上の位置、他の映像との重なりにおける優先度などを制御することができる。
【００１５】
この発明による映像出力装置においては、このような再生パラメータを設定するためのパラメータ操作子手段（ＥＰ，Ｄ１，Ｄ２；Ｒ１〜Ｒ３）が設けられるので（請求項５）、ユーザにより所望の再生パラメータに任意に変更することができる。
【００１６】
この発明による映像出力装置においては、設定時（ジョブモードＪＭ）には、ユーザ操作に基づくセーブ／ロードの指示に従って、画像記憶手段（ＰＡＤ；７２）に記憶された画像データ（ＩＭ）及びパラメータ記憶手段（７２）に記憶された再生パラメータをメモリカードなどの外部記憶装置（４）に保存（セーブ）し（Ｐ１５；４）、また、外部記憶装置（４）に保存された画像データ（ＩＭ）及び再生パラメータを読み出して、それぞれ、画像記憶手段（ＰＡＤ；７２）及びパラメータ記憶手段（７２）に記憶（ロード）させる（Ｐ１５；７６）ことにより（請求項６）、画像及びパラメータ記憶手段に記憶された画像データ及び再生パラメータを外部記憶装置にセーブしたり、外部記憶装置に保存された画像データ及び再生パラメータを画像記憶手段にロードして映像表示に利用することができる。
【００１７】
この発明による映像出力装置においては、画像データ（ＩＭ）の録画時（録画モードＲＭ）に、複数の画像記憶手段（ＰＡＤ；７２）のうち何れかを選択し（Ｐ１７）、ビデオ入力手段（１４）から入力されるビデオ信号の記録開始及び記録終了を指示すると（Ｐ１９，Ｐ２２）、記録開始が指示されてから記録終了が指示されるまでのビデオ信号に基づく画像データを、選択された画像記憶手段（ＰＡＤ）に記憶させる（Ｐ２０，Ｐ２１；７１）ことにより（請求項７）、ビデオ信号に基づく任意の画像データを各画像記憶手段に録画しておくことができる。
【００１８】
また、この発明による映像出力装置においては、映像再生器などの外部映像情報機器（１４）から入力されたビデオ信号（Ｐ８）と映像再生手段（７３）により生成された映像信号（Ｓ６）とを合成した合成映像信号を生成し（Ｐ８，Ｓ６；７４）、生成された合成映像信号を出力する（７４）ことにより（請求項８）、画像記憶手段に記憶されている画像データによる映像と外部映像情報機器から実時間で入力されてくる別の映像とを合成して更に多彩な映像を演出することができる。
【００１９】
なお、この映像出力装置については、さらに、次の（１）〜（３）のように構成することができる：
（１）再生パラメータが反映された画像データを記憶する映像記憶手段（ＷＲ；７４→７１→７２；Ｓ１４）を具備する構成。つまり、再生パラメータが反映された画像データを記憶する映像記憶手段（ＷＲ；Ｓ１４）を設けることにより、画像データを再生パラメータに応じて映像処理した後で、再生パラメータを反映させた映像処理後の画像データを記録することが可能となる。
（２）イベント入力操作子（Ｂｉ＝Ｂ１〜Ｂ３，Ｐｄｊ＝Ｐｄ１〜Ｐｄ８）の操作信号又は外部入力信号（ＭＩＤＩ信号）からイベント（Ｉｖ）を検出するイベント検出手段（Ｓ１，Ｓ１６）を具備し、パラメータ読出し手段（７３）は、検出されたイベントに対応する再生パラメータを読み出し、映像再生手段（７３，７４）は、検出されたイベントに対応する画像データの再生態様を制御する構成。つまり、映像出力装置に設けられた入力操作子（Ｂｉ，Ｂｄｊ）や、遠隔した外部機器（１６）から送信されてくるＭＩＤＩ信号などの制御信号を用いて、ユーザ操作又は自動進行方式で画像データ及び再生パラメータを指示するイベントを得るようにし、ユーザ操作又は自動進行により入力されるイベントの指定によって、より多彩な映像表現を演出することができる。
（３）或る画像データ（ＩＭ）乃至イベント（Ｉｖ）に対応する再生パラメータを別の画像データ乃至イベントに対応させる複写操作子手段（Ｍ３＋Ｐｄ３；Ｐ１６）を具備する構成。つまり、複写操作子手段（Ｍ３＋Ｐｄ３）を用いて或る画像データ又はイベントに対応する再生パラメータを別の画像データ又はイベントに対応させることにより（Ｐ１６）、既に作成された作成済み再生パラメータを他の画像に対しても使いまわしができ、ユーザ成果物である再生パラメータを有効に利用することができる。
【００２０】
【発明の実施の形態】
以下、図面を参照しつつ、この発明の好適な実施例を詳述する。なお、以下の実施例は単なる一例であって、この発明の精神を逸脱しない範囲で種々の変更が可能である。
【００２１】
〔ハードウエア構成〕
図１は、この発明の一実施例による映像出力システムのハードウエア構成のブロック図を示す。この例では、映像出力システムは、本体システム（本体制御部）、動画処理システム（動画処理部）及びインターフェース（Ｉ／Ｆ）部を備える。本体システムには、中央処理装置（ＣＰＵ）１、読出専用メモリ（ＲＯＭ）２、本体側ランダムアクセスメモリ（本体ＲＡＭ）３、外部記憶装置４、検出回路５及び表示回路６が含まれる。また、動画処理システムは動画処理回路７を含み、Ｉ／Ｆ部は、ＭＩＤＩインターフェース（ＭＩＤＩ・Ｉ／Ｆ）８及び通信インターフェース（通信Ｉ／Ｆ）９を含む。そして、これらの装置１〜９は、バス１０を介して互いに接続される。
【００２２】
映像出力システム全体を制御するＣＰＵ１は、所定のソフトウエア・プログラムに従いタイマ１１によるクロックを利用して種々の制御を行い、特に、後述する動画処理回路７による映像出力処理を管理する。ＲＯＭ２には、この映像出力システムを制御するための所定の制御プログラムが記憶されており、これらの制御プログラムには、基本的な情報処理と共に、この発明による映像出力処理などを管理するためのプログラムや、各種テーブル、各種データが含まれる。本体ＲＡＭ３は、各種処理に際して必要なデータやパラメータを記憶する一時記憶手段として機能し、例えば、再生フラグＲＦなどを記憶する。
【００２３】
外部記憶装置４は、ハードディスクドライブ（ＨＤＤ）の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、ＺＩＰ、メモリカード（スマートメディア）、半導体メモリ等の可搬型記憶媒体を用いた装置から成り、各種制御プログラムや各種データを記憶することができる。従って、映像出力処理などに必要なプログラムや各種制御データは、ＲＯＭ２を利用するだけでなく、外部記憶装置４からＲＡＭ３内に読み込むことができ、必要に応じて、処理結果を外部記憶装置４に記録しておくこともできる。また、スマートメディアと呼ばれるメモリカードなどの外部記憶装置４には、画像データや、画像データに付随する映像効果などの再生パラメータ（再生条件）を含む管理データを保存しておくことができる。
【００２４】
検出回路５にはパネル操作子装置１２が接続され、パネル操作子装置１２は、各種のスイッチやキー、その他のタイプの操作子を備える。これらの操作子は、パネル操作子とも呼ばれ、映像出力処理などのために、ユーザによって、画像の記録や標準プレイ（再生）などのモード設定、各種のパラメータ設定や指示の情報に入力するために用いられる。例えば、モード指定スイッチ（Ｍ１〜Ｍ３）は、プレイモード以外のモードを指定するのに用いられ、バンク及びパッドスイッチ（Ｂ１〜Ｂ３，Ｐｄ１〜Ｐｄ８）は、複数の画像データから所望の画像データを選択的に指示するのに用いられる。
【００２５】
表示回路６は、ＬＣＤなどの本体ディスプレイ１３や各種インジケータを制御するものであり、これらの表示援助に従ってパネル操作子装置１３の操作子で必要な操作を行うことにより、映像出力制御に関する設定や指示を行うことができる。そして、上述した要素１〜６、１０〜１３により本体システム（本体制御部）が構成され、また、動画処理回路７及びインターフェース８，９を加えた点線内の要素１〜１３によって映像出力装置が構成される。
【００２６】
動画処理回路７は専用ＲＡＭを備え、この専用ＲＡＭは、画像データを記録するための画像メモリとして機能し、併せて、画像データを管理する管理データを記憶することができる。動画処理回路７には、ＶＴＲやビデオディスク再生器などの映像再生器１４、及び、大型ＣＲＴやプロジェクタのような比較的大きな画面をもつ映像ディスプレイ１５が接続され、動画処理回路７によって、映像再生器１４からのビデオ信号（映像信号）を画像データとして専用ＲＡＭに一旦記録した後、この画像データに多様な態様で映像処理をかけて所望の映像を再生し、映像ディスプレイ１５に表示させることができる。これらの動画処理回路７、映像再生器１４及び映像ディスプレイ１５によって、動画処理システム（動画処理部）が構成される。
【００２７】
一方、ＭＩＤＩＩ／Ｆ８には、楽音情報生成機能を有するオーディオシーケンサ（ＭＩＤＩシーケンサ）やパーソナルコンピュータ（ＰＣ）で構成されるＭＩＤＩ機器１６が接続され、ＭＩＤＩ機器１６には、さらに、音源１７を介してＤＳＰ（ディジタル信号処理器）やスピーカを含むサウンドシステム１８が接続される。これらの機器１６〜１８は、この映像出力装置に外部接続される音楽演奏システム（音楽演奏部）を構成する。
【００２８】
ＭＩＤＩ機器１６は、自身のもつ音楽データや、ＲＯＭ２や外部記憶装置４に格納されている音楽データに基づく楽音を音源１７及びサウンドシステム１８を介して放音し音楽を演奏することができる。また、映像出力装置に対しては、ＭＩＤＩ機器１６から送出されるＭＩＤＩイベント（ノートオン／オフなどのノートデータ）や、ＭＩＤＩクロック、制御コードなどに従って動画処理回路７を制御する制御要素として機能する。
【００２９】
また、通信インターフェイス（Ｉ／Ｆ）９には、ローカルエリアネットワーク（ＬＡＮ）やインターネット、電話回線等の通信ネットワーク１９を介してサーバコンピュータ２０等に交信可能に接続される。このサーバコンピュータ１６や、ＭＩＤＩ機器１６、動画処理回路７などから、制御プログラムや音楽データ、画像データなどの各種データを外部記憶装置４にストアすることもできる。
【００３０】
〔動画処理システム〕
図２は、この発明の一実施例による動画処理システム（動画処理部）の機能ブロック図を示す。動画処理回路７は、動画録画部（ビデオサンプラー）７１、専用ＲＡＭ（画像メモリ）７２、データ読出部７３、映像制御部７４、管理データ入出力部７５及び画像転送部７６を備える。これら各部を管制するＣＰＵ１は、パネル操作子装置１２のモード指定スイッチＭ１〜Ｍ３が操作されないときは（モード指定なし＝図示のスイッチ機能要素ｍ１〜ｍ３が全てオン）、プレイモード（操作子再生モード又はＰＬＡＹモード）ＰＭで動作し、各モード指定スイッチＭ１〜Ｍ３が操作されたときは、それぞれ、録画モードＲＭ、外部制御モードＭＭ又はジョブモードＪＭで動作し、各部をモードに対応して制御する。
【００３１】
動画録画部７１は、録画モードＲＭにおいて、ＶＴＲなどの外部の映像再生器１４からのビデオ信号（映像信号）を取り込みサンプリングしてディジタル画像データに変換し、専用ＲＡＭ７２は、動画録画部７１からのディジタル画像データを記憶する。専用ＲＡＭ７２は、画像データのストレージ（画像メモリ）として機能すると共に、画像データ処理上の管理データを記憶することができ、管理データには、画像データに対する再生条件（「再生パラメータ」ともいう。）が含まれる。
【００３２】
データ読出部７３は、プレイモードＰＭや外部制御モードＭＭなどの再生モードで、専用ＲＡＭ７２から、先ず、画像データに対応する管理データから再生条件を読み出し、次いで、再生条件に従って画像データを読み出す。映像制御部７４は、再生条件に従って、読み出された画像データに映像効果を付与して映像再生を行い、画像データに再生条件の内容を反映した映像データを生成し、この映像データに対応する映像を映像ディスプレイ１５に表示させる。再生モードＰＭ，ＭＭでは、映像制御部７４で、映像再生器１４からの外部映像信号との合成を行ったり、映像制御部７４で生成した映像データを動画記録部７１を介して専用ＲＡＭ７２に記憶することもできる。
【００３３】
管理データ入出力部７５は、ＣＰＵ１・専用ＲＡＭ７２間で再生条件を授受する媒介手段として機能する。例えば、上述した各モードにおいて、パネル操作子装置１２を用いて設定又は変更される再生パラメータを管理データ中の再生条件として専用ＲＡＭ７２に記憶させる。また、再生モードＰＭ，ＭＭにおいては、専用ＲＡＭ７２に記憶されている管理データから再生条件をＣＰＵ１に呼び込んで、ＣＰＵ１にデータ読出部７３及び映像制御部７４を制御させる。
【００３４】
そして、画像転送部７６は、ジョブモードＪＭにおいて、パッド画像データや管理データの保存及びロード処理が行われる場合、ＣＰＵ１の制御指示に従って、専用ＲＡＭ７２とメモリカード（スマートメディア）などの外部記憶装置４との間でパッド画像データや管理データを授受させる媒介手段として機能し、専用ＲＡＭ７２に記憶されているパッド画像データや管理データを外部記憶装置４に記録したり、或いは、外部記憶装置４に記録された画像データや管理データを専用ＲＡＭ７２にロードする。
【００３５】
〔パネル構成及びイベント割当て例〕
図３は、この発明の一実施例による映像出力装置のフロント面に設けられる操作パネルの一構成例（一部分）を示す。この操作パネルには、上述したモード指定スイッチＭ１〜Ｍ３外に、パネル操作子装置１２の操作状態や各種設定状態などを表示するためのディスプレイ１３や、画像データの格納領域を指定するための複数（ｍ）のバンクスイッチＢｉ（ｉ＝１，２，…，ｍ）及び複数（ｎ）のパッドスイッチＰｄｊ（ｊ＝１，２，…，ｎ）、各種映像効果を指定及び設定するための効果指定スイッチ群ＥＰ及び効果設定ダイヤルＤ１，Ｄ２などが設けられている。
【００３６】
モード指定スイッチＭ１〜Ｍ３には、外部制御モード指定スイッチ（ＭＩＤＩボタン）Ｍ１、録画モード指定スイッチ（ＲＥＣボタン）Ｍ２及びジョブモード指定スイッチ（ＪＯＢボタン）Ｍ３などがあり、これらのスイッチＭ１〜Ｍ３を操作することによって、この映像出力装置をプレイモードＰＭ以外の種々のモードに入れることができる。
【００３７】
つまり、この実施例では、映像出力装置の電源投入直後の状態で、映像出力装置はプレイモードになる。一方、モード指定スイッチＭ１〜Ｍ３を操作すると、当該スイッチのバックライトが点灯し、映像出力装置に対して、操作されたスイッチに対応するモードを設定することができる。なお、これらのモードに入った後は、当該モード指定スイッチのＭ１〜Ｍ３の再操作や別のモード指定スイッチＭ１〜Ｍ３の操作などによって、当該モードが終了し、当該モード指定スイッチＭ１〜Ｍ３のバックライトは消灯され、プレイモードに復帰したり別のモードに移行する。
【００３８】
任意のバンクスイッチＢｉ及びパッドスイッチＰｄｊを操作することにより、「パッド操作イベント」と呼ばれる個別のイベントＩｖが発生され、このパッド操作イベントによって、画像データの格納領域を指定することができる。なお、これらのスイッチも、モード指定スイッチＭ１〜Ｍ３と同様に、選択操作によりバックライトが点灯してパッド選択状態をユーザに知らせ、点灯していたバックライトは、他のパッドスイッチ操作又は他の所定の非動作条件で消灯する。
【００３９】
図３に示される例では、３つのバンクスイッチＢ１〜Ｂ３及び８つのパッドスイッチＰｄ１〜Ｐｄ８が設けられており（ｍ＝３、ｎ＝８）、２４個のイベントＩｖを割り当てることができ、各イベントＩｖには、バンクスイッチＢ１〜Ｂ３毎のパッドスイッチＰｄ１〜Ｐｄ８に対応して“Ａ−１”〜“Ａ−８”、“Ｂ−１”〜“Ｂ−８”又は“Ｃ−１”〜“Ｃ−８”で示されるイベントＩＤが与えられる。
【００４０】
この発明の一実施例においては、画像メモリ（専用ＲＡＭ）には、イベントＩｖに対応付けられる画像データ格納領域を上述のバンクスイッチＢｉ及びパッドスイッチＰｄｊの構成に対応させて、「バンク（ＢＡＮＫ）」と呼ばれる複数（ｍ）の大記憶領域及び「パッド（ＰＡＤ）」と呼ばれる複数（ｎ）の小記憶領域を設定し、各大記憶領域ＢＡＮＫ内に設定された複数の小記憶領域ＰＡＤのそれぞれに画像データを記憶することができる。図４は、この発明の一実施例による画像メモリ構成の一例を示す。
【００４１】
図４に示された３バンク・８パッドのメモリ構成例では、画像データを格納する専用ＲＡＭには、バンクスイッチＢ１〜Ｂ３に対応して３つのバンク“ＢＡＮＫ−Ａ”〜“ＢＡＮＫ−Ｃ”が設定され、各バンクには、パッドスイッチＰｄ１〜Ｐｄ８の夫々に対応して８つの画像データ格納領域即ちパッドＰＡＤ１〜ＰＡＤ８が設定されている。つまり、２４個のパッド（画像データ格納領域）“ＢＡＮＫ−Ａ・ＰＡＤ１”〜“ＢＡＮＫ−Ｃ・ＰＡＤ８”は、２４個のイベントＩＤ“Ａ−１”〜“Ｃ−８”にそれぞれ対応付けられる。
【００４２】
従って、バンクスイッチＢｉ及びパッドスイッチＰｄｊを操作することによって、パッド操作イベントＩｖが発生し、このパッド操作イベントＩｖにより決定されるイベントＩＤ（“Ａ−１”〜“Ｃ−８”）に基づいて、画像メモリ（専用ＲＡＭ）７２内から、対応する所望のパッド（“ＢＡＮＫ−Ａ・ＰＡＤ１”〜“ＢＡＮＫ−Ｃ・ＰＡＤ８”）を指定することができる。
【００４３】
これにより、録画モードＲＭでは、バンクスイッチＢ１〜Ｂ３及びパッドスイッチＰｄ１〜Ｐｄ８の操作で指定されるパッド“ＢＡＮＫ−Ａ・ＰＡＤ１”〜“ＢＡＮＫ−Ｃ・ＰＡＤ８”に画像データＩＭａ１〜ＩＭｃ８を記憶しておき、プレイモードＰＭでは、バンクスイッチＢｉ及びパッドスイッチＰｄｊの操作によるパッド操作イベントＩｖで指定されるパッド（ＢＡＮＫ・ＰＡＤ）から画像データＩＭを選択的に読み出して再生することができる。なお、各パッド“ＢＡＮＫ−Ａ・ＰＡＤ１”〜“ＢＡＮＫ−Ｃ・ＰＡＤ８”に記憶されている画像データＩＭａ１〜ＩＭｃ８は「パッド画像データ」と呼ばれる。
【００４４】
この発明の一実施例においては、外部入力信号中から検出される外部入力イベントを画像メモリのパッド画像データ格納領域即ち「パッド」に対応付けておき、外部入力イベントの発生に基づいて、画像メモリから、外部入力イベントに対応するパッド画像データを読み出して再生することもできる。外部入力信号は、例えば、外部制御モードＭＭにおいて、外部のＭＩＤＩ機器１６からＭＩＤＩ・Ｉ／Ｆ８を介して映像出力装置に入力されるＭＩＤＩ信号である。この場合、ＭＩＤＩ信号中のノートデータを検出すると、「ＭＩＤＩイベント」（又は「音楽イベント」）と呼ばれる外部入力イベントが発生される。
【００４５】
例えば、画像メモリ（専用ＲＡＭ）７２における２４個のパッド“ＢＡＮＫ−Ａ・ＰＡＤ１”〜“ＢＡＮＫ−Ｃ・ＰＡＤ８”のイベントＩＤ“Ａ−１”〜“Ｃ−８”）に対して、ＭＩＤＩ信号のノート（オン／オフ）データに含まれる２４段階のノート番号“Ｃ１”〜“Ｅ４”をそれぞれ対応させる。図３の外部制御モード指定スイッチＭ１の操作で外部制御モードＭＭに入ると、ＭＩＤＩ信号からノートオンデータが検出される毎に、そのノート番号“Ｃ１”〜“Ｅ４”に対応するパッド（“ＢＡＮＫ−Ａ・ＰＡＤ１”〜“ＢＡＮＫ−Ｃ・ＰＡＤ８”）を指定する。そして、指定されたパッドに記憶されているパッド画像データＩＭａ１〜ＩＭｃ８を選択的に読み出し、このパッド画像データに基づいて映像を再生することができる。
【００４６】
なお、再生されているパッド画像データは、原則として、当該ノート番号のノートに対するノートオフデータ（オフイベント）を検出した時点で読み出しが中止されるが、再生パラメータの設定によって、全パッド画像データの読出し後或いは一定時間後に再生を中止したり、これらの再生中止時点に達していなくても、次のＭＩＤＩイベントＩｖを新たに検出すると再生を中止するなど、必要に応じて任意に変更することができ、変更された再生パラメータは、再生出力条件として管理データに含めることができる。
【００４７】
さて、図３において、ＪＯＢボタンＭ３を操作して映像出力装置がジョブモードＪＭに入った場合、パッドスイッチＰｄ１〜Ｐｄ８は、単独操作した場合、所定のジョブ機能を呼び出すための操作子に転用され、この転用時の処理を特に「ジョブ処理」と呼ぶ。また、このジョブ処理を含むジョブモードＪＭでの各種パネル設定において、設定の過程や結果は、ディスプレイ１３上に表示され、ユーザ操作を援助する。
【００４８】
このジョブ処理では、例えば、パッドスイッチＰｄ１（ＤＳＰＬ）は、本体ディスプレイ１３の表示態様の設定に用い、パッドスイッチＰｄ２（ＰＲＲＳ）は、各種パラメータの標準値へのリセットに用いることができる。また、パッドスイッチＰｄ３（ＣＯＰＹ）は、或るパッドのパッド画像データＩＭａ１〜ＩＭｃ８又はその管理データを別パッドにコピーするのに用いられる。この管理データのコピーに際しては、スイッチＰｄ３でコピーを指示した後、ディスプレイ１３上の案内画面に従って、カーソルキー（図示せず）で管理データを指示し、ディスプレイバンクスイッチＢｉ及びパッドスイッチＰｄｊの同時操作を順次行って所望のコピー元パッド及びコピー先パッドを指示し、スタートストップスイッチ（Ｓ／Ｓ）を操作する。
【００４９】
さらに、スイッチＰｄ４（ＴＨＭＬ）は各パッド画像データＩＭａ１〜ＩＭｃ８のサムネイル表示に用いられる。また、パッドスイッチＰｄ５（ＳＡＶＥ）は、専用ＲＡＭ７２上のパッド画像データ（ＩＭａ１〜ＩＭｃ８）及び管理データを外部記憶装置（例えば、スマートメディア）４にセーブするのに用いられ、スイッチＰｄ６（ＬＯＡＤ）は、逆に、外部記憶装置４に保存されているパッド画像データ（ＩＭａ１〜ＩＭｃ８）及び管理データをＲＡＭ７２にロードするのに使用される。パッドスイッチＰｄ７（ＤＥＬＴ）は、外部記憶装置４に保存されているパッド画像データ（ＩＭａ１〜ＩＭｃ８）及び管理データの消去に、スイッチＰｄ８（ＭＭＣＨ）は受信ＭＩＤＩチャンネルの設定に夫々用いられる。
【００５０】
パッドスイッチＰｄ６〜Ｐｄ８の上部右側に設けられた画像選択スイッチ群ＰＶは、後述する効果指定スイッチ群ＥＰ及びダイヤルＤ１，Ｄ２や、他のリアルタイム操作子の操作、管理データの映像効果パラメータなどに基づく映像効果をかける対象となる画像を指定する操作子である。すなわち、このスイッチ群ＰＶ内の“ＰＡＤ”スイッチを操作することによってパッド画像データを効果付与対象として選択することができる。また、このスイッチ群ＰＶ内の“ＶＩＮ”スイッチの操作により、映像再生器１４から入力される実時間のビデオ信号を効果付与対象に選択し、“ＴＯＴ”スイッチを操作することによって、パッド画像データ及び入力ビデオ信号の両者（「映像全体」という）を効果付与対象に選択することができる。
【００５１】
この発明による一実施例においては、モードに拘わらず、“ＰＡＤ”スイッチ操作後のバンク及びパッドスイッチＢｉ，Ｐｄｊの同時操作により指示されたパッド画像データに対して、以下に説明するように、パネル操作子Ｒ１〜Ｒ３を用いて再生出力（再生手順）パラメータを設定し、パネル操作子ＥＰ，Ｄ１，Ｄ２を用いて再生加工（映像効果）パラメータを設定することができ、これらのパラメータは「再生パラメータ」と呼ばれる。また、“ＶＩＮ”又は“ＴＯＴ”スイッチの操作後パネル操作子ＥＰ，Ｄ１，Ｄ２を用いることにより、ビデオ信号に又は映像全体に対して夫々映像効果パラメータを設定することができ、各パラメータは、夫々、ビデオ映像効果パラメータ又は全体映像効果パラメータと呼ばれる。これらの再生パラメータ及びビデオ乃至全体映像効果パラメータは、管理データとして記憶しておくことができる。
【００５２】
パッドスイッチＰｄ１〜Ｐｄ３の上部左側に設けられた３つのスイッチＲ１〜Ｒ３は、再生モードＰＭ，ＭＭにおけるパッド画像データの出力のさせ方（再生手順）つまり「再生出力パラメータ」を設定するための再生出力設定スイッチ群を構成する。この例では、「ゲート／トリガ」スイッチ（“Ｇａｔｅ／Ｔｒｉｇ”）Ｒ１はイベントによる再生の開始終了とパッド画像データの読出し再開位置とを設定するのに用いられる。また、「ワンショット／ループ」スイッチ（“１ｓｈｔ／Ｌｏｏｐ”）Ｒ２はパッド画像データの１回再生又はループ再生を設定するのに用いられ、「ノーマル／リバース」スイッチ（“Ｎｏｒｍ／Ｒｅｖｒ”）Ｒ３は読出し方向と一時停止の仕方とを設定するのに用いられる。
【００５３】
画像選択スイッチ群ＰＶの上部に設けられた効果指定スイッチ群ＥＰは、再生モードＰＭ，ＭＭで映像処理されるパッド画像データや外部映像信号に対する映像効果を指定するのに用いられる。なお、この映像効果は、ジョブモードでも設定することができ、例えば、“ＰＡＤ”を操作し更にバンクスイッチＢｉ及びパッドスイッチＰｄｊの同時操作で所望のパッドを指示して、当該パッド画像データの管理データにアクセスし、スイッチ群ＥＰ及びダイヤルＤ１，Ｄ２を用いて、オフラインで、当該管理データの再生パラメータを設定／変更することができる。この場合、“ＴＯＴ”スイッチの操作により映像全体に対する管理データにアクセスしたり、“ＶＩＮ”スイッチ操作で入力ビデオ信号に対する管理データにアクセスした後、同様にして、当該管理データの映像効果パラメータを設定／変更することもできる。
【００５４】
さて、図３における効果指定スイッチ群ＥＰの例では、“ＰＩＣＴａ”及び“ＰＩＣＴｂ”スイッチは、映像ディスプレイ１５に表示される映像の「輝度」の設定を指定するための第１及び第２輝度指定スイッチであり、“ＣＯＬＲａ”及び“ＣＯＬＲｂ”スイッチは、映像の「色合い」を指定するための第１及び第２色調整指定スイッチである。
【００５５】
また、“ＳＩＺＥ”スイッチは、画像選択スイッチ群ＰＶ中の“ＰＡＤ”スイッチの操作でパッド画像データが選択されているときは、バンク及びパッドスイッチＢｉ−Ｐｄｊで指示されるパッド画像データによる再生映像の表示画面上での映像の「大きさ」及び他のパッド画像データによる再生映像との「混合」の仕方（ＭＩＸ）を指定し、“ＶＩＮ”スイッチ操作によるビデオ信号の選択時には、ビデオ信号による映像の表示画面上での映像の「大きさ」などを指定し、“ＴＯＴ”スイッチの操作時には、再生映像及びビデオ映像間の「混合」の仕方（ＭＩＸ）と「重合せ」の仕方（ＯＶＥＲＬＡＰ）を指定するために用いられる大きさ（サイズ）・合成（混合／重合せ）指定スイッチである。“ＰＯＳＩＴＮ”スイッチは、“ＰＡＤ”又は“ＶＩＮ”スイッチ操作時に有効であり、各再生映像又はビデオ映像の表示画面での「位置」を指定するための位置指定スイッチである。
【００５６】
例えば、第１及び第２輝度指定スイッチの操作時には輝度（Ｙ）パラメータを設定し、第１及び第２色調整指定スイッチの操作時には色合い（Ｃ，Ｃｂ，Ｃｒ）パラメータを設定して、画像選択スイッチ群ＰＶで選択された対象データに、対応する映像効果を付与することができる。また、大きさ・合成指定スイッチの操作時には、各パッド画像データやビデオ信号により映像ディスプレイ１５に表示される映像の大きさを設定するだけでなく、或るパッド画像データと他のパッド画像データとの混合態様（ＭＩＸ）やビデオ信号との重合せ態様（ＯＶＥＲＬＡＰ）などの複数映像の合成の仕方（合成パラメータ）を設定することができる。例えば、混合態様については、“Ａｄｄ”／“Ａｎｄ”／“Ｏｒ”／“Ｘｏｒ”などの混合パラメータを設定することができ、重合せの優先度については、“ＰＡＤ＆ＶＩＤＥＯ”／“ＰＡＤｏｎＶＩＤＥＯ”／“ＶＩＤＥＯｏｎＰＡＤ”などの重合せパラメータを設定することができる。さらに、位置指定スイッチを操作したときは、映像ディスプレイ１５の画面上の映像の位置（Ｘ，Ｙ）を設定することができる。
【００５７】
このような映像効果は、上述の効果指定スイッチ群ＥＰによりパラメータ種別を選択した上、ディスプレイ１３上に表示される効果設定画面に従って、ロータリーエンコーダ形の効果設定ダイヤルＤ１，Ｄ２を操作し、所望のパラメータ値又はパラメータテーブルを選択することにより、設定／変更することができる。パラメータ設定には、具体的な言葉を用いてその数値を付加するなど、任意の方法を適用することができる。例えば、「色合い」パラメータを設定する場合、“赤く”、“青く”、“黄色っぽく”、“セピア調に”などの分かり易い言葉で色調を選択し、その標準値（“０”）に対する割合を指定するようにしてもよい。
【００５８】
この映像出力装置のフロントパネルには、また、パッド画像データ記録スイッチＷＲが設けられ、再生モードＰＭ，ＭＭにおいて、この記録スイッチＷＲを操作すると、再生条件に従って映像再生の処理がなされたパッド画像データを記録しておく旨の指示を発生することができる。さらに、フロントパネルには、上述したスイッチの外に、映像ディスプレイ１５に表示される映像全体のゲインを調整するボリュームダイヤルＤ０や、パッド画像データ読出しのスタート位置（当初開始位置やループ開始位置）及びエンド位置（終了位置）を設定するための読出し位置設定用操作子、再生速度や複数映像の混合比などの映像再生パラメータをリアルタイムで制御するためのリボンコントローラやスクラッチパッドなどのリアルタイム操作子などの再生時の他のパラメータに関する設定スイッチ、等々、種々の操作子が設けられる。
【００５９】
ここで、モード毎の動作を説明しておくと、以下のとおりである。
【００６０】
（１）記録モードＲＭ
まず、録画モード（サンプリングモード又はＲＥＣモード）ＲＭについては、録画モード指定スイッチ（ＲＥＣボタン）Ｍ２が押圧操作されたとき録画モードＲＭとなる（スイッチ機能要素ｍ２がオフ）。録画モードＲＭでは、ＶＴＲなどの外部の映像再生器１４から入力された映像信号が動画処理回路７内の動画録画部７１に取り込まれる。動画録画部７１は、ＣＰＵ１の制御指示に従って、取り込んだ映像信号をサンプリングして録画に適したディジタル画像データに変換しする。そして、この変換により得られた画像データを、バンク及びパッドスイッチＢｉ，Ｐｄｊで指示される専用ＲＡＭ７２内の所定の画像データ格納領域即ちパッド（ＢＡＮＫ・ＰＡＤ）に記録する。
【００６１】
つまり、或る画像データを録画する場合には、録画モードＲＭにおいて、バンク及びパッドスイッチＢｉ，Ｐｊを操作してパッド操作イベントＩｖを発生させると、パッド操作イベントＩｖに対応するパッド（ＢＡＮＫ・ＰＡＤ）が指定される。次いで、スタート／ストップスイッチ（Ｓ／Ｓ）を操作すると、指定されたパッドへの画像データの記録が開始され、当該画像データがパッド画像データとして記憶される。また、点灯中のＲＥＣボタンＭ２を再操作すると記録動作が終了し、プレイモードＰＭに復帰する。
【００６２】
なお、各画像データは、動画であるか静止画であるかや時間などには拘束されず、任意の画像データでよいが、数秒〜数十秒程度の比較的短時間の動画像データ或いは比較的低速度で切換え再生される複数枚の静止画像データが好ましい。
【００６３】
（２）再生モードＰＭ，ＭＭ
次に、プレイモード（操作子再生モード又はＰＬＡＹモード）ＰＭは、この映像出力装置の電源を入れたときのモード状態である。プレイモードＰＭでは、データ読出部７３によって、パネル操作子装置１２のバンク及びパッドスイッチＢ１〜Ｂ３，Ｐｄ１〜Ｐｄ８を操作すると、録画モードＲＭにおける画像データ格納と同様に、この操作により発生されるパッド操作イベントＩｖのイベントＩＤに対応する専用ＲＡＭ７２内のパッドから、パッド画像データが読み出されて再生される。
【００６４】
これに対して、外部制御モード（ＭＩＤＩモード）ＭＭは、外部制御モード指定スイッチ（ＭＩＤＩボタン）Ｍ１が押圧操作されたときの再生モードである（スイッチ機能要素ｍ１がオフ）。外部制御モードＭＭでは、データ読出部７３によって、外部のＭＩＤＩ機器１６から入力されるＭＩＤＩ信号からＭＩＤＩイベントのノートデータを検出すると、このノートデータに対応するイベントＩＤに基づいて、専用ＲＡＭ７２の所定パッドからパッド画像データが選択的に読み出されて再生される。
【００６５】
つまり、各パッド操作イベント及びＭＩＤＩイベントにはイベントＩＤ（“Ａ−１”〜“Ｃ−８”）が割当て設定され、専用ＲＡＭ７２の各パッド（“ＢＡＮＫ−Ａ・ＰＡＤ１”〜“ＢＡＮＫ−Ｃ・ＰＡＤ８”）に個々に対応しているので、画像再生時ＰＭ，ＭＭにおいて、パッド操作イベント又はＭＩＤＩイベントが発生すると、ＣＰＵ１は、この設定に従って専用ＲＡＭ７２内のパッド（ＢＡＮＫ・ＰＡＤ）を指定する。そして、データ読出部７３は、ＣＰＵ１の制御指示に従って、専用ＲＡＭ７２の複数のパッドにそれぞれ記憶された複数のパッド画像データの中から、パッド操作イベント又はＭＩＤＩイベントに対応するパッド画像データを選択的に順次読み出して映像制御部７４に送り出す。
【００６６】
データ読出部７３によるデータ読出し態様などの再生手順については、再生出力パラメータ（再生出力条件）に従って、通常の読出し手順の外に、逆方向から読み出したり（リバース）、専用ＲＡＭ７２中から選択された画像データの一部又は全部を何回も繰り返して再生する（ループ）などの手順が適用することができる。この場合、ループ再生に対しては、記録モードＲＭやジョブモードＪＭで、予めパッド画像データのエンド（終了）位置とループ開始位置を適切に設定して、画像の切落しや空白画像の発生などの破綻をなくしてシームレスに再生するよう考慮する必要がある。
【００６７】
映像制御部７４は、ＣＰＵ１の制御指示のもと、データ読出部７３で読み出されたパッド画像データを、パネル操作子装置１２での設定に基づく再生加工パラメータ（再生加工条件）に従って、所望の映像効果（エフェクト）が施された映像信号に変換すると共に、ビデオ乃至全体映像効果パラメータに従って、映像再生器１４から実時間で入力されるビデオ信号との合成処理なども実行する。なお、この映像効果は、パッド画像データ及びビデオ信号の何れの画像にも掛けることができる。
【００６８】
映像再生時に付与される映像効果には、輝度、色合い、映像ディスプレイ１５の画面に対する大きさ、画面上の画像位置（Ｘ，Ｙ）、他の映像との合成の仕方などが含まれる。なお、発生されたイベントに対応するパッドにパッド画像データが録画されていないときには、透過画面となる。
【００６９】
合成処理については、映像制御部７４は、データ読出部７３からのパッド画像情報を（例えば、主画像として）受けると共に、映像再生器１４からのビデオ信号により実時間で再生される（所謂“たれ流し”）ビデオ情報を（例えば、背景画像として）受けて、両情報を合成した映像信号を生成し、映像ディスプレイ１５に両者を合成した映像を表示させる。この場合、再生映像及びビデオ映像の大きさ及び位置パラメータの設定や、映像全体の合成パラメータ（例えば、Ａｎｄなどの混合パラメータやＰＡＤｏｎＶＩＤＥＯなどの重合せパラメータ）によって、パッド画像データによる再生映像をビデオ実時間映像に重ね合せたり、これらの映像を別々の画面領域に表示させ各表示領域を変化させていくなど、必要に応じて、種々の映像演出効果を採用することができる。
【００７０】
また、合成処理には、複数のパッド画像データを同時に再生することも含まれる。この場合も、パッド画像データ同士の混合態様（Ａｄｄ／Ａｎｄ／Ｏｒ／Ｘｏｒなど）を混合パラメータで設定して、複数の再生映像について論理和（Ｏｒ）や論理積（Ａｎｄ）などの単純な論理演算で混合したり、それぞれに関連するクロスフェードなどをかけるなど、必要な映像効果を任意に適用することができる。
【００７１】
なお、画像再生モードＰＭ，ＭＭにおいては、オーディオシーケンサなどの外部ＭＩＤＩ機器１６からのＭＩＤＩ信号に含まれる制御コードやＭＩＤＩクロックにより、動画処理回路７の動作を制御することができる。パネル操作子装置１２によりＭＩＤＩチャンネルをセットしておくと、例えば、ＭＩＤＩ信号中の制御コードにより、パネル操作子装置１２の各種パラメータ設定スイッチに代って同様のパラメータ設定を行うことができる。また、ＭＩＤＩ信号中のＭＩＤＩクロック（Ｆ８）によって映像の再生時間をテンポに合わせることができる。
【００７２】
後者については、「テンポに合わせた再生」（ＬｏｏｐＴｒＰｌａｙ）をセットしておくと、ＣＰＵ１は、テンポ設定の対象となるＭＩＤＩチャンネルのＭＩＤＩ信号に含まれるＭＩＤＩクロック（Ｆ８）に基づいて読出し速度を演算し、データ読出部７３を制御する。これにより、専用ＲＡＭ７２から読み出すパッド画像データの再生時間を制御しつつループ読出しを行い、パッド画像データの再生と外部ＭＩＤＩ機器１６の演奏との同期を取ることができる。
【００７３】
さらに、再生モードＰＭ，ＭＭにおいて、再生パラメータに基づき映像処理された各パッド画像データは、必要に応じて、パッド画像データ記録スイッチＷＲの操作により、映像制御部７４から動画録画部７１を介して、専用ＲＡＭ７２内の元のパッド画像データに対応する所定記憶領域に記憶しておくことができる。
【００７４】
＜再生フラグＲＦ＞
この発明の一実施例においては、再生モードＰＭ，ＭＭにおけるパッド画像データの再生状態を表わす指標として、パッド画像データ毎に設けられる「再生フラグＲＦ」が用いられる。この再生フラグＲＦは、再生モードの初期状態では“００”であり、例えば、或るパッド画像データについてオンイベントが発生すると、このパッド画像データは、再生フラグＲＦが“１１”となり、その映像の再生が開始される。この再生が、イベント発生やパッド画像データの読出し終了などによって、中断乃至停止されると、再生フラグＲＦが“１０”となり、再生を一時停止した状態になる。
【００７５】
なお、プレイモードＰＭにおいて、バンクスイッチＢｉ及びパッドスイッチＢｄｊの押圧（同一バンクの指定が続くときはパッドスイッチＰｄｊの操作）により発生するパッド操作イベントや、外部制御モードＭＭにおいて、外部ＭＩＤＩ機器１６からのＭＩＤＩ信号のノートデータの受信により発生するＭＩＤＩイベントを、単に「イベント」と呼び、パッドスイッチＰｄｊの押圧開始やＭＩＤＩイベントのノートオン検出によるイベントの開始を「オンイベント」、パッドスイッチＰｄｊの押圧状態からの離脱（押圧解除）やノートオフ検出などによるイベントの終了を「オフイベント」という。
【００７６】
また、再生の一時停止中（ＲＦ＝“１０”）に、同一パッド画像データに対してオンイベントが再発生すると、再生フラグＲＦが“１１”に戻って映像再生が再開される。或るパッド画像データの再生中（ＲＦ＝“１１”）或いは一時停止中の状態は「再生動作中」と呼ばれ、再生動作中（ＲＦ＝“１１”又は“１０”）のパッド画像データの数が所定数（パッド画像データの効果付与に利用可能な効果モジュールの数に応じて決定される。例えば、“３”）に応じた数に達している場合に、他のパッド画像データのオンイベントが発生すると、再生フラグＲＦは“００”にリセットされる。また、他の録画モードやジョブモードに切り換わった場合は、全てのパッド画像データの再生フラグＲＦが強制的に“００”にリセットされる。
【００７７】
なお、先のイベントによる動画を再生動作中に次のイベントが新たに発生した場合には、この実施例では、先のイベントに応じた動画の再生を中止し（ＲＦ→“００”）、新たなイベントに応じた動画を再生開始することを原則としているが、先のイベントに対して何らかのオフ指令がない限り、先のイベントに応じた動画の再生動作を継続しつつ（ＲＦ＝“１１”又は“１０”）、次のイベントに応じた動画の再生を開始するようにしてもよい。
【００７８】
（３）ジョブモードＪＭ
ジョブモード（ＪＯＢモード）ＪＭは、ジョブモード指定スイッチ（ＪＯＢボタン）Ｍ３が押圧操作されたときのモードである（スイッチ機能要素ｍ３がオフ）。ジョブモードＪＭでは、まず、各種ジョブ処理の指示に転用されるパッドスイッチＰｄ１〜Ｐｄ８を用いて、各種ジョブ処理を行うことができる。ジョブ処理では、前述したように、ディスプレイ１３の表示制御、パラメータの標準値へのリセット、パッド画像データの移動、複写、保存、ロード、消去、受信ＭＩＤＩチャンネルの設定などを行うことができる。
【００７９】
例えば、再生モードＰＭ，ＭＭで専用ＲＡＭ７２に記録された再生パラメータが反映された映像処理済みパッド画像データは、このジョブモードＪＢにおいて、セーブ操作（Ｐｄ５）によって、ＲＡＭ７２からデータ転送部を介して外部記憶装置４に保存することができる。なお、この保存に当っては、映像処理済みパッド画像データにリンクされて同時に保存される管理データ中の再生パラメータは、標準値にリセットされる。
【００８０】
ジョブモードＪＭでは、上述のジョブ処理の外に、他のパネル操作子を用いて種々の設定が可能であり、例えば、オフラインで、再生パラメータの設定／変更や、複数パッド画像データ間における再生加工（映像効果）パラメータ適用の優先度、スタート及びエンド位置などの設定を行うことができる。
【００８１】
〔再生パラメータ〕
上述した再生出力設定スイッチＲ１〜Ｒ３により設定される再生出力（再生手順）パラメータ（再生出力条件とも呼ばれる）や、効果指定スイッチ群ＥＰ及び効果設定ダイヤルＤ１，Ｄ２で設定される再生加工（映像効果）パラメータ（再生加工条件とも呼ばれる）は、各パッド画像データについては「再生パラメータ」又は「再生条件」と総称され、専用ＲＡＭ７２に記憶される。また、ビデオ信号（“ＶＩＮ”）に対するビデオ映像効果パラメータや、パッド画像データ及びビデオ信号の映像全体（“ＴＯＴ”）に対する全体映像効果パラメータも、全パッド画像データ（ＩＭａ１〜ＩＭｃ８）のセットに対応して専用ＲＡＭ７２に記憶される。そして、これら各パッド画像データ毎の再生パラメータ及びビデオ乃至全体映像効果パラメータは、ジョブモードでのセーブスイッチＰＤ５の操作によって外部記憶装置４に、管理データとして保存することができる。また、外部記憶装置４に保存された再生パラメータや映像効果パラメータを含む管理データは、再度、専用ＲＡＭ７２上にロードすることができる。
【００８２】
図５は、この発明の一実施例による再生パラメータの簡単な一構成例を示す。再生パラメータのうち、再生出力（再生手順）パラメータ（再生出力条件）は、例えば、図５の上段に示すように、イベントの発生及び終了（オン／オフイベント）による再生の開始及び停止の仕方を設定する「ゲート／トリガ」パラメータ、再生を再開する場合の再開位置を設定する「タイプ１／タイプ２」パラメータ、１回再生又はループ再生を設定する「ワンショット／ループ」パラメータ、並びに、読出し方向を設定する「ノーマル／リバース」パラメータ、一時停止態様を設定する「タイプＡ／Ｂ」パラメータから成る。
【００８３】
これら５種のパラメータは、図３のスイッチ構成例では、３つの再生出力設定スイッチＲ１〜Ｒ３を用いて設定することができ、設定中及び設定後の各パラメータは、本体ディスプレイ１３の表示で確認することができる。このスイッチ構成に対応して、図５の上段の例では、図３のスイッチ構成に対応して、「ゲート／トリガ」パラメータには、「タイプ１／タイプ２」と呼ばれる再開位置パラメータを含ませ、「ノーマル／リバース」には、「タイプＡ／タイプＢ」の一時停止パラメータを含ませている。
【００８４】
「ゲート／トリガ」パラメータによる再生開始・終了モードと「タイプ１／タイプ２」パラメータによる再開モードは、「ゲート／トリガ」スイッチ（“Ｇａｔｅ／Ｔｒｉｇ”）Ｒ１を用いてセットされる。この場合、「ゲート／トリガ」スイッチＲ１を操作する毎に、図５に示されるように、“ｇａｔｅ１”→“ｇａｔｅ２”→“ｔｒｉｇｇｅｒ１”→“ｔｒｉｇｇｅｒ２”の順で循環的に本体ディスプレイ１３にパラメータ名が表示されるので、操作を停止したところで所望のパラメータをセットすることができる。
【００８５】
システムが再生モード（プレイモードＰＭ及び外部制御モードＭＭ）にあるときに“ｇａｔｅ１”又は“ｇａｔｅ２”が設定されている場合は、「ゲート」モードとなり、オンイベントが発生すると、対応するパッド画像データの再生を開始し、再生フラグＲＦを“１１”とする。また、同じパッド画像データに対してオフイベントが発生すると、再生フラグＲＦを“１０”として、再生を中断し一時停止状態となる。
【００８６】
これに対して、“ｔｒｉｇｇｅｒ１”又は“ｔｒｉｇｇｅｒ２”が設定された場合は「トリガ」モードとなり、オンイベントで一旦再生を開始すると（ＲＦ→“１１”）、オフイベントの発生に拘わらず再生を続行する（ＲＦ＝“１１”）、次に、同じパッドのオンイベントが再発生すると、映像再生中であれば（ＲＦ＝“１１”）再生を中断する（ＲＦ→“１０”）。ただし、次のオンイベントの再発生時点で、後述する「ワンショット」モードで画像データの読出しがエンド位置に到達するなどによって当該画像データの再生が既に一時停止していれば（ＲＦ＝“１０”）、映像再生が再開される（ＲＦ→“１１”に復帰）。
【００８７】
また、再生モードＰＭ，ＭＭにおいて、“ｇａｔｅ１”又は“ｔｒｉｇｇｅｒ１”が設定されている場合は、「タイプ１」の再開モードとなり、再生を中断又は停止しているときに（ＲＦ＝“１０”）、再度、オンイベントが生じると、前回中断又は停止した位置（現在位置）からパッド画像データの再生を開始する（ＲＦ→“１１”）。一方、“ｇａｔｅ２”又は“ｔｒｉｇｇｅｒ２”の設定時には、「タイプ２」の再開モードとなり、必ず、パッド画像データの先頭位置（冒頭又は予め設定されたスタート位置）から再生を再開する。
【００８８】
なお、「ゲート」モードが設定されている場合、ＭＩＤＩ信号を利用する外部制御モードＭＭにおいては、或るパッド画像データについてオンイベントが発生した後オフイベントが発生する前に（ＰＦ＝“１０”）、同一パッドのオンイベントが再発生した場合は、このオンイベント再発生によって再生が続行される。この場合、当該パッド画像データに設定されている再開位置パラメータ（タイプ１／２）が有効となり、「タイプ１」の設定時には、オンイベント再発生時点でパッド画像データを読み出していた位置（現在位置）で再生を持続し、「タイプ２」の設定時には、パッド画像データの先頭位置〔冒頭位置（非設定の場合のスタート位置）又は予め設定されたスタート位置〕から再生をし直す。
【００８９】
「ワンショット／ループ」パラメータについては、「ワンショット／ループ」スイッチ（“１ｓｈｔ／Ｌｏｏｐ”）Ｒ２を操作する毎に、パラメータ名“ｏｎｓｈｏｔ”，“ｌｏｏｐ”が交互に表示されるので、操作を停止したところで何れかのパラメータをセットすることができる。
【００９０】
システムが再生モードにあるときに“ｏｎｓｈｏｔ”が設定されている場合は、「ワンショット」モードとなり、パッド画像データを終了位置〔最終位置（非設定の場合のエンド位置）又は予め設定されたエンド位置〕まで再生し終えると、再生を停止する（ＲＦ→“１０”）。一方、“ｌｏｏｐ”が設定された「ループ」モードにおいては、パッド画像データの最後まで再生すると、先頭位置〔冒頭位置、或いは、予め設定されたスタート位置又はループ開始位置（画像データ終了位置からループ動作のために戻る先頭位置であり、読取り当初のスタート位置とは異なる位置に設定されている場合、特に、「ループ開始位置」と呼ぶ。）〕に戻って再生を続行する（ＲＦ＝“１１”）。
【００９１】
「ノーマル／リバース」パラメータによる方向モードと「タイプＡ／タイプＢ」パラメータによる一時停止モードは、「ノーマル／リバース」スイッチ（“Ｎｏｒｍ／Ｒｅｖｒ”）Ｒ３を用いてセットされる。この場合、「ノーマル／リバース」スイッチＲ３を操作する毎に、図５に示されるように、“ｎｏｒｍａｌＡ”→“ｎｏｒｍａｌＢ”→“ｒｅｖｅｒｓｅＡ”→“ｒｅｖｅｒｓｅＢ”の順で循環的に本体ディスプレイ１３にパラメータ名が表示されるので、操作を停止したところで所望のパラメータをセットすることができる。
【００９２】
システムが再生モードにあるときに“ｎｏｒｍａｌＡ”又は“ｎｏｒｍａｌＢ”が設定されている場合は、「ノーマル」モードとなり、パッド画像データを順方向に再生する。これに対して、“ｒｅｖｅｒｓｅＡ”又は“ｒｅｖｅｒｓｅＢ”が設定された場合は「リバース」モードとなって逆方向に再生する。
【００９３】
この設定スイッチの例では、ノーマル又はリバースモードの設定に併せて、パッド画像データの再生を中断又は停止（「一時停止」と呼ぶ。）させるときの映像表示の仕方を、一時停止モードの「タイプＡ／Ｂ」で設定することができる。まず、一時停止モードが「タイプＡ」（“ｎｏｒｍａｌＡ”又は“ｒｅｖｅｒｓｅＡ”）に設定されている場合は、一時停止（ＲＦ＝“１１”→“１０”）が指令されると、その時点で再生していた映像を映像ディスプレイ１５に静止画で表示したままにしておく。一方、「タイプＢ」（“ｎｏｒｍａｌＢ”又は“ｒｅｖｅｒｓｅＢ”）の設定時には、一時停止（ＲＦ→“１０”）の指令によって、映像をディスプレイ表示から消去し黒レベル（透過）とする。
【００９４】
なお、上述の設定例では、３つのスイッチＲ１〜Ｒ３を用いて、「ゲート（イベントのオン期間だけ画像再生）／トリガ（オンイベントに応じて再生又は停止）」、「タイプ１（一時停止位置から再生を再開）／タイプ２（常に頭から再生）」、「ワンショット（１回だけ再生）／ループ（繰返し再生）」、「ノーマル（正方向に再生）／リバース（逆方向に再生）」及び「タイプＡ（一時停止指示で静止映像表示）／タイプＢ（一時停止指示で映像消去）」という５種の再生出力パラメータの選択を行うようにしたが、これに限らず、パラメータ種別に１対１で対応するスイッチを用いるなど、任意のスイッチ構成を採用することができる。
【００９５】
再生加工パラメータ（再生加工条件）については、既に説明したように、「輝度」パラメータは、記録されているパッド画像データに基づいて映像の輝度を明るくしたり暗くしつつ再生させ、「色合い」パラメータは、記録されている画像の色合いを修正しつつ再生させ、「大きさ」パラメータは、映像ディスプレイ１５の画面に対して再生される映像の割合を指示し、「合成（混合）」パラメータは、複数の再生映像間の混合態様を指示し、「位置」パラメータは、画面に対する再生映像の位置を指示するのに用いられる。これらの再生加工パラメータは、パッド画像データの指定後、効果指定スイッチ群ＥＰ及び効果設定ダイヤル（ＥＦＦＣＴ  ＣＮＴＲ．１，２）Ｄ１，Ｄ２を操作し、所望のパラメータ値又はパラメータテーブルを選択することによって、例えば、図５の下段に示されるようにセットすることができる。なお、この例以下では、合成（混合）パラメータの例示が省略されている。
【００９６】
再生加工パラメータの設定手順の一例を挙げると、バンクスイッチＢ１〜Ｂ３及びパッドスイッチＰｄ１〜Ｐｄ８により或るパッド画像データを指定し、効果指定スイッチ群ＥＰ内の何れかのスイッチを操作する。これにより、本体ディスプレイ１３には、当該パッド画像データについて、全効果指定スイッチに対応する映像効果の現在の設定状態（当初は標準デフォルト値）を効果設定ダイヤルＤ１，Ｄ２毎に一覧表示した効果設定画面が現れる。ここで、効果設定ダイヤルＤ１，Ｄ２を操作すると、操作した効果指定スイッチで指定された映像効果のパラメータ値が調整され、効果設定画面上の当該再生加工パラメータは、この操作に対応して調整されたパラメータ値に変更される。
【００９７】
この場合、指定された映像効果の種類によっては（例えば、「輝度」や「色合い」など）、効果設定ダイヤルＤ１，Ｄ２により所望の効果テーブルを選択し、選択された効果テーブルで所望の映像効果を設定することができる。なお、図３の例では、２つの効果設定ダイヤルＤ１，Ｄ２を用いているので、「輝度」及び「色合い」については最大４種の再生加工パラメータ（輝度又は色合いのテーブルタイプ、ゲイン、オフセット等）を設定することができ、「大きさ・合成」及び「位置」については夫々２種の再生加工パラメータ〔サイズ（大きさ）及び他のパッド画像データ混合態様、Ｘ及びＹ座標値（位置）〕を設定することができる。
【００９８】
再生加工パラメータは、上述したものに限らず、例えば、映像の各ピクセル色をパッド画像データの補色に反転させる「ネガ効果」、ぼかしや先鋭化などの「フィルタ効果」、閾値による「白黒化効果」、或いは、フェードイン／アウトなどパッド画像データ切換時の「切換え効果」など、必要に応じて、任意のパラメータを適用することができる。
【００９９】
再生出力パラメータや再生加工パラメータなどの再生パラメータは、プレイモードＰＭやジョブモードＪＭで、パネル操作子装置１２及び本体ディスプレイ１３を用いて設定／変更が可能である。設定された再生パラメータは、各パッド画像データ“ＩＭａ１”〜“ＩＭｃ８”にリンクされ、再生条件（再生出力条件及び再生加工条件）として管理データ中に記録される。図６は、この発明の一実施例による管理テーブル中の再生パラメータの簡単な一設定例を示す。図６の例では、２４個のパッド画像データ“ＩＭａ１”〜“ＩＭｃ８”の夫々に対応して、５種の再生出力条件と４種の再生加工条件から成る９種の再生条件が管理データ中に記憶される。
【０１００】
図６に示されるような再生条件を含む管理データは、ジョブモード下のセーブスイッチＰｄ５（ＳＡＶＥ）により外部記憶装置４にセーブすることができる。また、ジョブモード下のロードスイッチＰｄ６（ＬＯＡＤ）により、パッド画像データセット（ＩＭａ１〜ＩＭｃ８）と共に外部記憶装置４から専用ＲＡＭ７２上に管理データをロードした後、再生モードにおいて、この再生パラメータに基づいて各パッド画像データを再生することができる。
【０１０１】
図６を用いてこの発明による映像出力システムの機能の概略を説明すると、次のとおりである。複数の画像データ（パッド画像データ）ＩＭａ１〜ＩＭｃ８及び管理データが、複数のイベントＡ−１〜Ｃ−８にそれぞれ対応して、画像メモリ（動画処理回路７内の専用ＲＡＭ）に記憶される。管理データには、対応する画像データＩＭａ１〜ＩＭｃ８の再生態様を制御するための再生条件（再生パラメータ）が含まれ、再生条件には、各画像データＩＭａ１〜ＩＭｃ８の読出し態様を制御する再生出力条件（再生出力パラメータ）と、読み出された画像データの映像効果を制御する再生加工条件（再生加工パラメータ）が含まれる。例えば、或るイベントＡ−２が入力されると、イベントＡ−２に対応する再生条件“ｔｒｉｇｇｅｒ２”〜“左上”が専用ＲＡＭから読み出され、読み出された再生条件に基づいて、イベントＡ−２に対応する画像データＩＭａ２の再生態様を制御し、再生パラメータが反映された画像データが生成される。
【０１０２】
〔処理例〕
図７〜図９は、この発明の一実施例による映像出力処理のフローチャートである。電源投入によりこの映像出力処理プログラムの実行を開始すると、ＲＡＭ３，７２の内容がクリアされシステムの初期設定が行われ、例えば、各種映像出力制御パラメータが標準値にリセットされる。そして、図７〜図９に示される映像出力処理フローに基づく処理が電源オフまで繰り返し実行される。なお、この映像出力処理においては、パネル操作子装置１２の操作状況や外部機器からの信号を受け付けて、各種モードやパラメータの設定を行うパネル設定や、パネル設定されたモードやパラメータに基づいてパッド画像データや映像信号の入出力を制御する再生処理の外に、パッド画像データの入力（録画）及び転送（保存／ロード）などの処理も行われる。
【０１０３】
図７において、最初のステップＰ１では、パネル操作子装置１２の何れかの操作子が操作され設定入力があったか否かの判定を行い、パネル設定操作子の入力がなければ、ステップＰ２に進み、外部ＭＩＤＩ機器１６からの信号入力があったか否かの判定を行う。ここで、パネル操作子装置１２或いは外部ＭＩＤＩ機器１６から何らかの入力があると（Ｐ１，Ｐ２→ＹＥＳ）、ステップＰ３に進んで、入力が映像出力に関連する指示であるか否かを判定し、映像出力に関連する指示が検出されると（Ｐ３→ＹＥＳ）ステップＰ４に進む。
【０１０４】
ステップＰ４では、パッド記録データ再生の指示であるか否かを判定し、パッド操作イベント或いはＭＩＤＩイベントが発生したことによるパッド記録データの再生指示であれば（Ｐ４→ＹＥＳ）、ステップＰ５で再生処理（図１０及び図１１）を実行する。
【０１０５】
また、ステップＰ２で、外部ＭＩＤＩ機器１６からの信号入力もないと判定されたときは（Ｐ１，Ｐ２→ＮＯ）、ステップＰ６に進んで、パッド画像データに基づく映像再生の動作中であるか否かを再生フラグＲＦから判定する。ここで、映像再生の動作中であれば（Ｐ６→ＹＥＳ）、ステップＰ５の再生処理（図１０及び図１１）に進む。すなわち、データ読出部７３及び映像制御部７４により再生専用ＲＡＭ７２のパッド画像データに基づいて映像を再生する動作を行っているときは、当該パッド画像データの再生フラグＲＦ＝“１１”（動的に映像表示中）又は“１０”（動的な映像表示を一時停止中）であるので、ステップＰ５に進む。これに対して、このような映像再生の動作を行っていないときは、再生フラグＲＦ＝“００”であるため（Ｐ６→ＮＯ）、ステップＰ１にリターンする。
【０１０６】
一方、ステップＰ４で、パッド記録データ再生の指示ではないと判定されたときは（Ｐ４→ＮＯ）、ステップＰ７（図８）に進み、さらに、外部の映像再生器１４からの実時間映像信号を取り込んで出力する指示であるか否かを判定する。ここで、外部映像信号の出力指示であると（Ｐ７→ＹＥＳ）、ステップＰ８で、入力映像信号を出力する指令を発生する。すなわち、映像再生器１４から入力される外部映像信号を映像制御部７４を介して映像ディスプレイ１５の映像出力画面に出力させる指令を発生する。
【０１０７】
これに対して、ステップＰ７で外部映像信号の出力指示でないと判定されると（Ｐ７→ＮＯ）、ステップＰ９に進んで、外部映像信号の出力を停止する指示であるか否かを判定し、映像信号出力停止の指示であれば（Ｐ９→ＹＥＳ）、更にステップＰ１０に進み、入力映像信号の出力を停止させる指令を出す。ステップＰ８，Ｐ１０の処理後は、次のステップＰ１１で各指令を映像制御部７４に与え、映像出力画面における入力映像を、映像制御部７４により各指令に対応するように制御する。
【０１０８】
また、ステップＰ９で、入力映像信号の出力停止の指示でもないと判定されたときは（Ｐ９→ＮＯ）、ステップＰ１２に進み、映像出力に関連するその他の指示を受け付けて実行する。この場合のその他の指示には、パッド画像データの再生中でない場合のビデオ映像乃至映像全体に対するビデオ乃至全体映像効果パラメータに関する諸設定や、リボンコントローラ、スクラッチパッド、映像ディスプレイ１５に表示される映像全体のゲインを調整するボリュームダイヤルＤ０などのリアルタイム操作による映像信号への制御指示などがあり、これらの指示に基づき設定される実時間パラメータなどに従って、随時、映像制御部７４を動作させることができる。そして、ステップＰ１１，Ｐ１２の処理後は、ステップＰ１（図７）にリターンする。
【０１０９】
さて、ステップＰ３（図７）において、映像出力に関連する指示でないと判定されると（Ｐ３→ＮＯ）、ステップＰ１３（図８）に進んで、画像データを記録する指示であるか否かを判定し、画像データ記録の指示でないときは（Ｐ１３→→ＮＯ）、さらに、ステップＰ１４に進む。ステップＰ１４では、データの保存／ロードに関する指示であるか否かを判定し、ＪＯＢボタンＭ３に加えてパッドスイッチＰｄ５，Ｐｄ６を操作してデータの保存又はロードを指示したときは（Ｐ１４→ＹＥＳ）、ステップＰ１５に進み、指示に対応してデータの保存又はロードを行い、その後、ステップＰ１（図７）にリターンする。
【０１１０】
つまり、プレイモードＰＭを含む各種モードでは、パッド画像データやこれに付随する管理データ（再生出力条件や再生加工条件などの再生条件を含む）などが得られるが、これらのデータは、ステップＰ１５において、画像転送部７６を介して専用ＲＡＭ７２からメモリカード等の外部記憶装置４にセーブすることができる。また、このステップＰ１５では、ジョブモードＪＭで、逆に、外部記憶装置４に保存されたパッド画像データや管理データのセットを画像転送部７６を介してＲＡＭ７２上にロードし、再生モードにおいて、これらのデータセットをプレイモードＰＭでの映像再生に用いることができる。
【０１１１】
一方、データの保存又はロードでなければ（Ｐ１４→ＮＯ）、ステップＰ１６に進み、受け付けたその他の指示に基づいて、その他の処理を実行した後、ステップＰ１にリターンする。ステップＰ１６におけるその他の処理には、ＪＯＢボタンＭ３を押圧操作してジョブモードＪＭとした後ユーザのパネル操作に基づいて行われるジョブモードＪＭでの各種処理（上述した「データ保存又はロード」のジョブ処理を除く）が含まれる。例えば、ＪＯＢボタンＭ３の操作後に他のパッドスイッチ（Ｐｄ１〜Ｐｄ４，Ｐｄ７，Ｐｄ８）を用いて行われるジョブ処理では、ディスプレイ１３の表示制御、パラメータの標準値へのリセット、ＲＡＭ７２内でのパッド画像データや再生パラメータの移動、複写、消去、受信ＭＩＤＩチャンネルの設定などを行うことができる。
【０１１２】
また、このジョブモードＪＭでは、他のパネル操作子を用いて種々の設定作業を行うことができる。例えば、パッド画像データの再生出力（再生手順）パラメータや映像効果（エフェクト）パラメータなどの再生パラメータや、ビデオ映像乃至映像全体に対するビデオ乃至全体映像効果パラメータに関する諸設定やそれらの変更を、本体ディスプレイ１３の表示援助によりオフラインで行うことができ、設定／変更されたパラメータは管理データとして記憶／更新させておくことが可能である。
【０１１３】
さて、ステップＰ１３で、ＲＥＣボタンＭ２が操作されて画像データを記録する指示であると判定されたときは（Ｐ１３→ＹＥＳ）、ステップＰ１７〜Ｐ２４（図９）の記録モードＲＭでの処理に進む。まず、ステップＰ１７では、バンク及びパッドスイッチＢｉ，Ｐｄｊの選択的操作に基づく割当て位置（パッド）の選択を受け付ける。つまり、バンク及びパッドスイッチＢｉ，Ｐｄｊの操作で選択された記録時パッド操作イベントＩｖを受け付け、このイベントＩｖに対応するイベントＩＤ記号（Ａ−１〜Ｃ−３）により、記録すべき画像データが割り当てられる専用ＲＡＭ７２（画像メモリ）上の記録領域（パッド）を決定する。
【０１１４】
次いで、ステップＰ１８で記録開始の受付けを行い、さらに、ステップＰ１９で記録開始の指示があったか否か判定し、記録開始が指示されるまで（Ｐ１９→ＮＯである間は）、ステップＰ１８，Ｐ１９の動作を繰り返す。ここで、スタート／ストップスイッチ（Ｓ／Ｓ）が操作されて記録開始が指示されると（Ｐ１９→ＹＥＳ）、ステップＰ２０に進んで、動画録画部７１を動作させて記録を開始し、ステップＰ１７で決定されたイベントＩＤ（Ａ−１〜Ｃ−８）をもつ専用ＲＡＭ７２上の記録領域即ちパッド（ＢＡＮＫ−Ａ・ＰＡＤ１〜ＢＡＮＫ−Ｃ・ＰＡＤ８）に、映像再生器１４からの入力映像信号に基づく画像データを記憶する。
【０１１５】
次のステップＰ２１では、記録停止の受付けを行い、さらに、ステップＰ２２で記録停止の指示があったか否か判定し、記録停止が指示されるまで（Ｐ２２→ＮＯである間は）ステップＰ２１，Ｐ２２の動作を繰り返す。ここで、スタート／ストップスイッチ（Ｓ／Ｓ）が再操作されて記録停止が指示されると（Ｐ２２→ＹＥＳ）、ステップＰ２３に進んで記録を停止し、続くステップＰ２４では、画像データ録画条件（画質、分解能など）に関する管理データを作成し、記録されたパッド画像データに対応させて専用ＲＡＭ７２に記憶する。
【０１１６】
そして、管理データ作成後は、今回の記録モード処理（Ｐ１７〜Ｐ２４）を終えてステップＰ１（図７）にリターンする。従って、前回の記録モード処理で得られたパッド画像データ及び管理データ（録画条件）は、この後の回で実行される映像出力処理において、ジョブ処理の保存モードでステップＰ１５に進んだ際に、専用ＲＡＭ７２から外部記憶装置４に保存することができる。
【０１１７】
〔再生処理〕
図１０及び図１１は、この発明の一実施例による再生処理のフローチャートである。この再生処理は、映像出力処理のステップＰ５（図７）で実行され、以下の説明では、ステップＰ１５（図８）のロード処理により、所望のパッド画像データセット及びこれに対応する管理データセットが専用ＲＡＭ７２上に既にロードされているものとして説明する。
【０１１８】
この再生処理フローでは、まず、ステップＳ１では、入力がオンイベントであるか否かを判定し、オンイベントであるときは（Ｓ１→ＹＥＳ）、ステップＳ２に進む。ステップＳ２では、当該オンイベントにより指定されるパッド画像データの再生フラグＲＦを調べて、指定されたパッドに記憶されているパッド画像データについて、現在、映像の再生動作中であるか否かを判定する。ここで、指定されたパッド画像データの再生フラグＲＦ＝“００”であり、この画像データが未だ再生動作段階に入っていない（新たなパッド画像データの再生が指示されている）ときは（Ｓ２→ＮＯ）、ステップＳ３に進む。
【０１１９】
ステップＳ３では、新たに指定されたパッド画像データの再生フラグＲＦを“００”→“１０”とし、データ読出部７３によって、指定されたパッド画像データに対応する管理データを専用ＲＡＭ７２から読み出して再生条件（再生パラメータ）の設定を行う。この場合、他のパッド画像データに再生フラグＲＦ＝“１１”又は“１０”で再生動作中のものがあり、再生動作中のパッド画像データの数が所定数（例えば“３”）に達していたときは、新たなパッド画像データに対応する管理データの読出しの前に、再生動作中のパッド画像データのうち、最初に再生動作に入ったパッド画像データの再生フラグＲＦを“００”にクリアして当該パッド画像データの再生動作の終了処理を指示する。
【０１２０】
次のステップＳ４では、設定された再生条件のうち再生出力条件（再生出力パラメータ）に従って当該パッド画像データを専用ＲＡＭ７２から読み出して映像制御部７４に送り出すように指令する。例えば、再生出力パラメータとして「ノーマル（ｎｏｒｍａｌ）」が設定されている場合には、オンイベントに応じてパッド画像データを正方向に再生し「リバース（ｒｅｖｅｒｓｅ）」が設定されている場合には、逆方向に再生する。
【０１２１】
続いて、ステップＳ５では、映像制御部７４により、再生出力パラメータに従ってデータ読出部７３から読み出される画像データに対して、設定されている再生条件のうち再生加工条件（再生加工パラメータ）に従った再生加工（映像効果の付加）手順で映像処理を実行する。ステップＳ６で実行される映像処理には、再生加工パラメータに基づいて、輝度、色合い、大きさ、位置などを調整する効果付加処理が含まれる。そして、ステップＳ６において、この映像処理により得られる映像を映像ディスプレイ上に出力するように指令し、その後、映像出力処理のステップＰ１（図７）にリターンする。
【０１２２】
一方、ステップＳ２において、指定されたパッド画像データの再生フラグＲＦ＝“１１”又は“１０”であり、この画像データに基づく映像の再生動作中であると判断されたときは（Ｓ２→ＹＥＳ）、ステップＳ７に進む。ステップＳ７では、さらに、当該パッド画像データの再生フラグＲＦ＝“１０”であり、映像の一時停止中であるか否かを判定する。
【０１２３】
ここで、指定されたパッド画像データの再生フラグＲＦが“１０”であり映像の再生が一時的に停止した状態であれば（Ｓ７→ＹＥＳ）、ステップＳ８に進んで、再生フラグＲＦを“１０”→“１１”とした上、ステップＳ４と同様に、データ読出部７３により、当該画像データを、対応する再生加工パラメータに従って所定位置から読み出して、再生加工条件と共に映像制御部７４に送り出し、映像制御部７４に、当該画像データの再生を再開位置パラメータ（タイプ１／２）に応じた所定位置から開始させる。
【０１２４】
例えば、当該画像データに「タイプ１」の再開位置パラメータ（ｇａｔｅ１，ｔｒｉｇｇｅｒ１）が設定されているときは現在位置即ち一時停止位置から再生を開始し、「タイプ２」の再開位置パラメータ（ｇａｔｅ２，ｔｒｉｇｇｅｒ２）のときは先頭（冒頭位置又は予め設定されたスタート位置）から再生を再開する。そして、ステップＳ５，Ｓ６の映像処理及び表示処理を実行した後、映像出力処理のステップＰ１（図７）にリターンする。
【０１２５】
一方、ステップＳ７で、当該パッド画像データの再生フラグＲＦ＝“１１”であり、この画像データに基づく映像が、一時停止中ではなく、再生中であると判断されたときは（Ｓ７→ＹＥＳ）、ステップＳ９に進んで、当該パッド画像データに「トリガ（ｔｒｉｇｇｅｒ）」が設定されているか否かを判定する。
【０１２６】
ここで、「トリガ」が設定されているときには（Ｓ９→ＹＥＳ）、ステップＳ１０に進み、再生中のパッド画像データの再生フラグＲＦを“１１”→“１０”とした上、設定されている一時停止パラメータ（タイプＡ／Ｂ）に応じて、この映像再生を一時停止させた後、映像出力処理のステップＰ１（図７）にリターンする。
【０１２７】
すなわち、「トリガ（ｔｒｉｇｇｅｒ）」が設定されている場合には、一旦オンイベントが発生すると（例えば、パッドスイッチＰｄｊを押して直ぐに離しても）、パッド画像データに基づく映像の再生が持続されるので（ＲＦ＝“１１”）、映像再生中に次に同じオンイベントが発生すると（例えば、もう一度同じパッドスイッチＰｄｊを押す）、ステップＳ１０にて、映像再生を一時的に停止する。この場合、一時停止パラメータに「タイプＡ」（ｎｏｒｍａｌＡ，ｒｅｖｅｒｓｅＡ）が設定されていれば、オンイベント時点で再生していた映像を映像ディスプレイ１５上に静止したままで表示する「静止表示」とする。また、「タイプＢ」（ｎｏｒｍａｌＢ，ｒｅｖｅｒｓｅＢ）の場合には、映像をディスプレイ表示から消去（透過）させ「非表示」（黒レベル）とする。
【０１２８】
これに対して、「トリガ」が設定されておらず「ゲート（ｇａｔｅ）」が設定されていると（Ｓ９→ＮＯ）、ステップＳ８に進み、再生している当該画像データを、その「タイプ１／２」パラメータに対応する所定位置から読み出して再生を続行し、再生フラグＲＦ＝“１１”を持続する。すなわち、既に説明したステップＳ７（ＹＥＳ）→Ｓ８の場合と同様に、「タイプ１」の再開位置パラメータ（ｇａｔｅ１）が設定されているときは現在読み出している位置から再生を続行し、「タイプ２」の再開位置パラメータ（ｇａｔｅ２）のときは先頭位置から再生をやり直す。そして、ステップＳ５，Ｓ６の映像処理及び表示処理を実行した後、映像出力処理のステップＰ１（図７）にリターンする。
【０１２９】
さて、ステップＳ１でオンイベントが指令されていないと判定されると（Ｓ１→ＮＯ）、ステップＳ１１に進み、再生パラメータ（パッド画像）や映像効果パラメータ（ビデオ又は全体）を設定する操作による入力であるか否かを判定する。ここで、再生出力パラメータ（例えば、ゲート／トリガ、タイプ１／２、ワンショット／ループ、ノーマル／リバース、タイプＡ／Ｂなど）の設定操作（Ｒ１〜Ｒ３）や再生加工又は映像効果パラメータ（例えば、輝度、色合い、大きさ、位置など）を設定する操作（ＥＰ；Ｄ１，Ｄ２）による入力があったときは（Ｓ１１→ＹＥＳ）ステップＳ１２に進む。
【０１３０】
ステップＳ１２では、検出された設定操作に応じて、再生中のパッド画像データに設定されている再生パラメータ（再生出力又は再生加工パラメータ）やビデオ又は全体映像に設定されている映像効果パラメータを変更し、その結果を専用ＲＡＭ７２に記録しておき、以後、当該パッド画像データについては、設定変更された再生条件に従ってパッド画像データを読み出し或いは映像処理を行い、ビデオ又は全体映像についても同様に映像処理を行うものとする。
【０１３１】
ステップＳ１１で再生パラメータや映像効果パラメータを設定する操作ではないと判定されたとき（Ｓ１１→ＮＯ）或いはステップＳ１２の処理後は、ステップＳ１３に進み、映像処理されたパッド画像データを記録すべき指示であるか否かを判定する。ここで、パッド画像データ記録スイッチＷＲの操作による画像データ記録の指示があると（Ｓ１３→ＹＥＳ）、ステップＳ１４に進んで、再生中のパッド画像データに現在設定されている再生条件を基にして映像再生の処理がなされたパッド画像データを、以後、専用ＲＡＭ７２の所定の記憶領域に記録しておく旨の指令を動画録画部７１に対して発生する。
【０１３２】
ステップＳ１３で画像データ記録指示でないと判定されたとき（Ｓ１３→ＮＯ）或いはステップＳ１４の処理後は、ステップＳ１５に進み、現在、再生動作中のパッド画像データの再生フラグＲＦが“１０”であって映像再生が一時停止中であるか否かを判定する。ここで、当該パッド画像データについて、映像再生動作が一時停止中（ＲＦ＝“１０”）であれば（Ｓ１５→ＹＥＳ）、直ちに、映像出力処理のステップＰ１（図７）にリターンし、再生フラグＲＦが“１１”で映像再生中であれば（Ｓ１５→ＮＯ）、ステップＳ１６に進む。
【０１３３】
ステップＳ１６においては、当該パッド画像データのオフイベントであるか否かを判定し、パッドスイッチＰｄｊの押圧解除やＭＩＤＩイベントのノートオフ検出などによりオフイベントが発生したときは（Ｓ１６→ＹＥＳ）、ステップＳ１７に進んで、さらに、当該パッド画像データに「ゲート」が設定されているか否かを判定する。ここで、「ゲート」が設定されていると（Ｓ１７→ＹＥＳ）、当該パッド画像データの再生フラグＲＦを“１０”として映像再生を一時停止させ、ステップＳ１０と同様に、設定されている一時停止パラメータが「タイプＡ」であるか或いは「タイプＢ」であるかに応じて、映像表示を静止表示或いは非表示とする。そして、この後、映像出力処理のステップＰ１（図７）にリターンする。
【０１３４】
すなわち、再生出力条件に「ゲート」が設定されている場合には（Ｓ１７→ＹＥＳ）、オン・オフイベント間のイベント持続期間だけパッド画像データに基づく映像の再生が行われるので（ＲＦ＝“１１”）、オフイベントによって当該イベントが解除されたときは（Ｓ１６→ＹＥＳ）、ステップＳ１８で映像再生を一時停止する（ＲＦ→“１０”）。また、この一時停止に当って、映像ディスプレイ１５の表示は、ステップＳ１０と同様に、そのときに設定されている一時停止パラメータ（タイプＡ／Ｂ）に従う。
【０１３５】
ステップＳ１６でオフイベントでないと判断されたとき（Ｓ１６→ＮＯ）或いはステップＳ１７で「ゲート」が設定されていないと判定されたときは（Ｓ１７→ＮＯ）、ステップＳ１９に進んで、再生中のパッド画像データの読出しが終了（エンド）位置に達したか否かを判定する。ここで、終了位置に到達していれば（Ｓ１９→ＹＥＳ）、ステップＳ２０に進み、さらに、当該パッド画像データに「ループ（ｌｏｏｐ）」が設定されているか否かを判断し、「ループ」ではなく、「ワンショット（ｏｎｓｈｏｔ）」が設定されていれば（Ｓ２０→ＮＯ）、ステップＳ１８に進む。ステップＳ１８では、上述と同様に、当該パッド画像データの再生フラグＲＦを“１０”として、一時停止パラメータ（タイプＡ／Ｂ）に従った表示態様にて映像再生を一時停止させた後、映像出力処理のステップＰ１にリターンする。
【０１３６】
すなわち、再生出力条件に「ワンショット」が設定されている場合には（Ｓ２０→ＮＯ）、イベントが持続している間、当該パッド画像データを１回だけ再生し（ＲＦ＝“１１”）、終了位置（最終位置又は予め設定されたエンド位置）まで再生されて終了位置への到達が検出されると（Ｓ１９→ＹＥＳ）、ステップＳ１８にて映像再生を一時停止する（ＲＦ→“１０”）。この場合、一時停止時の映像表示は、前述したように、そのときに設定されている一時停止パラメータ（タイプＡ／Ｂ）に従う。なお、この終了位置到達により一時停止後に一時停止状態が維持されている間（ＲＦ＝“１０”）は、「ゲート」が設定されていても、オフイベント検出（Ｓ１６）は行われない（Ｓ１５→ＮＯ）。
【０１３７】
一方、ステップＳ１９でパッド画像データ読出しが終了位置に達していないと判定されたとき（Ｓ１９→ＮＯ）或いはステップＳ２０で「ループ」が設定されていると判断されたときは（Ｓ２０→ＹＥＳ）、ステップＳ２１に進んで、現在設定されている再生出力条件に従ってパッド画像データを読み出し、映像再生を続行するものとする（ＲＦ＝“１１”）。例えば、「ループ」が設定されている場合は、オンイベント発生に応じて再生を開始してパッド画像データの最後まで再生したときは、先頭位置（冒頭位置或いは予め設定されたループ開始位置）に戻って再生を続行し、再生動作の終了が指示される〔例えば、他のオンイベント発生：Ｓ１（ＹＥＳ）→Ｓ２（ＮＯ）→Ｓ３〕まで再生を続ける。そして、ステップＳ５，Ｓ６（図１０）で、対応する映像処理及び表示処理を実行した後、映像出力処理のステップＰ１（図７）にリターンする。
【０１３８】
なお、ステップＳ１→Ｓ３に進んで、或るパッド画像データの映像再生中に新たなパッド画像データによる映像再生の指示があったとき場合は、複数のパッド画像データの再生が個々の再生条件に基づいて同時に映像再生処理が行われる。この場合、各映像（ビデオ映像を含む）間の混合態様などを設定する合成パラメータについては、パッド映像間で異なることがあり、また、輝度パラメータや色合いパラメータなどの各映像自体の映像効果パラメータについてもそのハードウエア（又はソフトウエア）資源上の制約があるので、映像効果の付与態様については、予め定めておいたルールに従って、適用すべき映像効果パラメータの優先度を決定し、映像効果の付与処理を実行する。このように複数の映像を同時出力する場合には、予めルールを予め定めて以下のような処理を適用することできる。
【０１３９】
（１）通常は、可能な限り、各パッド画像データに設定されている再生条件に従って映像効果の付与を行い、各再生条件のとおり映像効果処理ができないときは、前述したように（ステップＳ３参照）、後着優先により映像処理を行って、新たに指定されたパッド画像データの再生条件の指示に従って映像効果を付与することを原則とする。この場合、例えば、次の方法を用いてもよい：
（１−１）２つ又は更に多くの映像が一部または全部が重なるように映像の再生位置が設定されている場合は、各映像に対応して設定されている再生条件（混合パラメータ）の内容に拘わらず、先に再生されている映像の上に、後から再生開始された映像を重ねるように表示する。
（１−２）また、輝度や色合いなどの各映像自体にかける効果処理については、効果処理するための効果回路（又は効果モジュール）に空きがある場合には、複数の映像に対して複数の効果処理をそれぞれ行うことが可能である。空きがない場合には、空きがないことを検出すると、前述したように（ステップＳ３参照）後着優先の原則に従って、前の映像再生で付けられている映像効果を停止し、停止した効果回路を用いて、新たに再生開始された映像に設定された映像効果を付加させるようにする。
【０１４０】
（２）上述の（１）の処理とは逆に、先に映像処理を行っている映像効果パラメータを、後で再生される映像に対して優先処理（先着優先）することもできる。例えば、複数映像の重ね状態、効果回路の占有状態に関わる処理手法として、次の（２−１）及び（２−２）のように、再生指示の順番で処理条件を決めるよにすることができる：
（２−１）先に再生中の映像が後からの再生された映像でかくれてしまうことをなくすように、先の映像再生が終了又は停止（オフ）されて消えるまでは（先の映像再生が完了するまで）先の映像処理を優先させ、後の映像は、その裏側で再生を行うだけとする。
（２−２）また、映像自体にかける効果処理（輝度や色合い）については、先に再生中の効果処理が終了して効果回路が空いたときに、その効果回路を使用して効果をかけるようにしてもよい。
【０１４１】
（３）例えば、ステップＰ１６又はステップＳ１２で再生条件設定を行い、再生条件として各パッド画像データごとに優先度を定めておき、この優先度に基づいて映像効果付与処理を行うようにし、映像効果の優先性をユーザ設定可能となるようにしてもよい。例えば、ユーザの設定操作に基づいて優先度ランクを設定しておき、ステップＳ５の映像処理で、再生指示された複数のパッド画像データ間で優先度ランクを比較して高い優先度の方の再生条件を採用するものとすれば、ユーザ操作に対応させて設定した優先度に従って、映像効果処理を行うことが可能となる。
【０１４２】
（４）なお、適用される映像効果が途中から切り替わるのに違和感がある場合には、先着優先で処理し、後着の映像処理については、その時点で利用可能な効果回路がないときは、先着の映像処理が終了するまで（効果回路の空きが途中でできたときでも）使用させないようにすることもできる。
【０１４３】
（５）上述のように、映像効果処理されるべき映像の数が効果回路の数を超える場合でなくとも、効果回路の空きの有無に拘わらず、処理中の映像の中で最初或いは最後に再生が指令された映像の効果パラメータを採用するなど、再生指令の順番だけで適用される映像効果パラメータを決定するようにしてもよい。
【０１４４】
〔種々の実施態様〕
以上、一実施例について説明したが、種々の実施態様を適用することができる。例えば、実施例の映像出力装置では、電源投入時や他のモードがリセットされたときにプレイモード（ＰＭ）になるようにしているが、別途、プレイモード指定スイッチを設けて、このスイッチ操作によりプレイモード（ＰＭ）になるようにしてもよい。
【０１４５】
実施例においては、スマートメディアなどの外部記憶装置に保存されるパッド画像データは、外部の映像再生器からの映像信号から動画録画部及び専用ＲＡＭを介して取得するようにしているが、予め画像データを記録したスマートメディアなどの可搬記録媒体を用いても、別の画像データ入力手段を用いて外部記憶装置に画像データを記録しておいてもよい。
【０１４６】
また、パッドスイッチの同時操作などによってパッド画像データの読出しを指示するイベントが同時に発生した場合は、両イベントをほぼ同時に読み出して、両イベントに対応するパッド画像データに基づく映像を同時に表示させてもよいし、これらのイベントを無効にしてもよいし、或いは、予め定められた優先順位に基づいて１つのイベントのみを有効としてもよい。
【０１４７】
【発明の効果】
以上説明したように、この発明の映像出力装置によれば、複数の操作子（Ｐｄｊ）又は複数種類のイベント（Ｉｖ）の夫々に対応して任意の画像データ（ＩＭ）を複数の画像記憶手段（ＰＡＤ）の夫々に記憶すると共に、各画像データ（ＩＭ）に対応する再生パラメータ（図５，図６）をパラメータ記憶手段（７２）に記憶しておき、操作子（Ｐｄｊ）の操作又はイベント（Ｉｖ）の入力（Ｐ１／Ｐ２，Ｓ１）に応じて、操作された操作子（Ｐｄｊ）又は入力イベント（Ｉｖ）の種類に対応する画像記憶手段（ＰＡＤ；７２）から画像データ（ＩＭ）を読み出すと共に、画像データ（ＩＭ）に対応する再生パラメータを読み出し、当該画像データ（ＩＭ）を、読み出された再生パラメータで制御しながら再生する（Ｓ３〜Ｓ６）ように構成しているので、操作子の操作又はイベントの入力に応じて、順次、複数の画像記憶手段のうち当該操作子又は入力イベントにより指定される画像記憶手段から画像データを取り出し、取り出された各画像データに対し、対応する夫々の再生パラメータに基づく種々の再生態様で映像処理を施して、多彩な映像表現を演出することができ、しかも、各画像記憶手段の画像データ自体はオリジナルな状態を保ち、各再生パラメータもパラメータ記憶手段に保持することができる（請求項１，２）。
【０１４８】
この発明の映像出力装置で用いられる再生パラメータには、画像データの再生手順を制御する再生出力パラメータ（ゲート／トリガ、ワンショット／ループ、ノーマル／リバース〕、再生停止時の表示タイプＡ／Ｂ、停止後の再生開始位置タイプ１／２など）や、画像データの映像効果を制御する再生加工パラメータ（輝度、色合い、大きさ、位置、合成態様など）を用いて、多彩な映像再生態様で映像表現を演出することができる（請求項３，４）。また、これらの再生パラメータは、ユーザがパラメータ操作子手段を用いて任意に設定及び変更可能である（請求項５）。
【０１４９】
この発明の映像出力装置では、画像及びパラメータ記憶手段に記憶された画像データ及び再生パラメータをメモリカードなどの外部記憶装置にセーブしたり、外部記憶装置に保存された画像データ及び再生パラメータを画像記憶手段にロードして映像表示に利用することができる（請求項６）。また、ビデオ信号に基づく任意の画像データを各画像記憶手段に録画しておくことができる（請求項７）。さらに、映像再生器などの外部映像情報機器（１４）から入力されたビデオ信号（Ｐ８）と映像再生手段（７３）により生成された映像信号（Ｓ６）とを合成した合成映像信号を生成し（Ｐ８，Ｓ６；７４）、生成された合成映像信号を出力する（７４）ことにより（請求項８）、画像記憶手段に記憶されている画像データによる映像と映像再生器などの外部映像情報機器から実時間で入力されてくる別の映像とを合成して更に多彩な映像を演出することができる。
【図面の簡単な説明】
【図１】図１は、この発明の一実施例による映像出力システムのハードウエア構成を示すブロック図である。
【図２】図２は、この発明の一実施例による映像出力システムにおける動画処理部の機能ブロック図である。
【図３】図３は、この発明の一実施例による映像出力装置のフロント面に設けられる操作パネルの一構成例（一部分）を示す。
【図４】図４は、この発明の一実施例による画像メモリの一構成例を表わす図である。
【図５】図５は、この発明の一実施例による再生パラメータの構成例を表わす図である。
【図６】図６は、この発明の一実施例による管理テーブル中の再生パラメータの設定例を表わす図である。
【図７】図７は、この発明の一実施例による映像出力処理を表わすフローチャートの第１部分（１／３）である。
【図８】図８は、この発明の一実施例による映像出力処理を表わすフローチャートの第２部分（２／３）である。
【図９】図９は、この発明の一実施例による映像出力処理を表わすフローチャートの第３部分（３／３）である。
【図１０】図１０は、この発明の一実施例による再生処理を表わすフローチャートの一部である。
【図１１】図１１は、この発明の一実施例による再生処理を表わすフローチャートの他部である。
【符号の説明】
Ｍ１〜Ｍ３  モード指定スイッチ、
Ｂｉ＝Ｂ１〜Ｂ３（１≦ｉ≦ｍ＝３）  バンクスイッチ、
Ｐｄｊ＝Ｐｄ１〜Ｐｄ８（１≦ｊ≦ｎ＝８）  パッドスイッチ
ＢＡＮＫ−Ａ〜ＢＡＮＫ−Ｃ  バンク（大記憶領域）、
ＰＡＤ１〜ＰＡＤ８  パッド（小記憶領域）、
ＩＭ＝ＩＭａ１〜ＩＭｃ８  パッド画像データ、
ＢＡＮＫ・ＰＡＤ＝“ＢＡＮＫ−Ａ・ＰＡＤ１”〜“ＢＡＮＫ−Ｃ・ＰＡＤ８”パッド画像データ及びその管理データを記憶するパッド、
Ｉｖ；Ａ−１〜Ｃ−８  イベント及びイベントＩＤ、
ＩＭ：ＩＭａ１〜ＩＭｃ８  、
Ｒ１〜Ｒ３  再生出力設定スイッチ、
ＥＰ；Ｄ１，Ｄ２  効果指定スイッチ群及び効果設定ダイヤル、
ＷＲ  パッド画像データ記録スイッチ。
【図１】
0003849542.tif 000002
【図２】
0003849542.tif 000003
【図３】
0003849542.tif 000004
【図４】
0003849542.tif 000005
【図５】
0003849542.tif 000006
【図６】
0003849542.tif 000007
【図７】
0003849542.tif 000008
【図８】
0003849542.tif 000009
【図９】
0003849542.tif 000010
【図１０】
0003849542.tif 000011
【図１１】
0003849542.tif 000012